(57)【要約】メトリック（たとえば、ドップラー・メトリック）がしきい値を超過したことに応答して、ネットワーク・ノード・デバイスが、プリコーディング・ランク値１を有する伝送信号の受信を可能にするようにユーザ機器に命令するメッセージを送信することを容易にし得る。ネットワーク・ノード・デバイスは、プリコーディング・ランク値１を有する基準信号を送り、チャネル品質の標識を含むフィードバックをユーザ機器から受信し得る。任意選択で、メトリックがしきい値を超過したことに応答して、ネットワーク・ノード・デバイスは、値１を有するランクの第１の標識およびチャネル品質の第２の標識を含むフィードバックを提供することによって基準信号に応答するようにユーザ機器に命令するメッセージを送信することを容易にし得る。
2020519177.tif 000002
【特許請求の範囲】
【請求項１】
プロセッサと、
前記プロセッサによって実行されるとき、
ユーザ機器によって受信されたと決定される、信号の受信された周波数と、前記信号を送信するために使用されたと決定される実際の周波数とのシフトを表すメトリックを決定すること、
前記メトリックがしきい値を超過すると判定されたことに応答して、プリコーディング・ランク値１を有する伝送信号の受信を可能にするように前記ユーザ機器に命令するメッセージを前記ユーザ機器に送信することを容易にすることであって、前記プリコーディング・ランク値１が、前記ネットワーク・ノード・デバイスから前記ユーザ機器への同時の、同一の内容を含むデータの伝送を示す、容易にすること、
前記ユーザ機器に特有の、前記プリコーディング・ランク値１を有する基準信号を前記ユーザ機器に送信することを容易にすること、
前記ネットワーク・ノード・デバイスと前記ユーザ機器との間のチャネルの品質に適用可能なチャネル品質の標識を含むフィードバックを前記ユーザ機器から受信すること、
チャネル品質の前記標識に基づいて、前記ネットワーク・ノード・デバイスから前記ユーザ機器へのさらなる伝送についての伝送プロトコルに関する伝送スケジューリング・パラメータを決定すること、および
前記ユーザ機器に前記伝送スケジューリング・パラメータを送信することを容易にすること
を含む動作の実施を容易にする実行可能命令を記憶するメモリと
を備えるネットワーク・ノード・デバイス。
【請求項２】
前記動作が、前記伝送プロトコルに基づくトラフィック・データを前記ユーザ機器に送信することを容易にすることをさらに含む請求項１に記載のネットワーク・ノード・デバイス。
【請求項３】
前記メトリックを決定することが、前記ユーザ機器の速度測定値を複数回取得することを含み、前記メトリックが前記速度測定値の平均を含む請求項１に記載のネットワーク・ノード・デバイス。
【請求項４】
前記メトリックを決定することが、前記ユーザ機器から前記ネットワーク・ノード・デバイスへのアップリンク・チャネルの特性の変化率を決定することを含む請求項１に記載のネットワーク・ノード・デバイス。
【請求項５】
前記メトリックを決定することが、前記ネットワーク・ノード・デバイスから前記ユーザ機器への前の伝送のチャネル品質情報の変化率を決定することを含み、前記前の伝送が、前記メトリックを決定する前に行われる請求項１に記載のネットワーク・ノード・デバイス。
【請求項６】
前記伝送スケジューリング・パラメータが、前記ネットワーク・ノード・デバイスから前記ユーザ機器への前記さらなる伝送についてのデータ・ストリームの変調およびコーディングに適用可能な変調およびコーディング・パラメータを含む請求項１に記載のネットワーク・ノード・デバイス。
【請求項７】
チャネル品質の前記標識が、チャネル品質の第１の標識を含み、前記ユーザ機器に命令する前記メッセージが、
前記ネットワーク・ノード・デバイスと前記ユーザ機器との間で伝送される異なるデータ・ストリームの数を表すランクの第２の標識と、
前記ネットワーク・ノード・デバイスから前記ユーザ機器への前記さらなる伝送についてのプリコーディング行列を選択するために使用されるチャネル状態情報の第３の標識と
を前記フィードバックから除外するようにとの命令をさらに含む請求項１に記載のネットワーク・ノード・デバイス。
【請求項８】
プロセッサと、
前記プロセッサによって実行されるとき、
ユーザ機器によって受信されたと決定される、信号の受信された周波数と、前記信号を送信するために使用されたと決定される実際の周波数とのシフトを表すメトリックを決定すること、
前記メトリックがしきい値を超過すると判定されたことに応答して、前記ユーザ機器と前記ネットワーク・デバイスとの間の伝送についての伝送プロトコルに関するチャネル状態情報フィードバックを含めることによって基準信号に応答するように前記ユーザ機器に命令するメッセージを前記ユーザ機器に送信することを容易にすることであって、前記チャネル状態情報フィードバックが、
値１を有するランクの第１の標識であって、前記ネットワーク・デバイスと前記ユーザ機器との間で伝送される異なるデータ・ストリームの数を表すランクの第１の標識と、
前記ネットワーク・デバイスと前記ユーザ機器との間の前記チャネルの品質に適用可能なチャネル品質の第２の標識と
を含む、容易にすること、
前記ユーザ機器に前記基準信号を送信することを容易にすること、
前記ユーザ機器から前記チャネル状態情報フィードバックを受信すること、
前記チャネル状態情報フィードバックを復号化し、その結果、復号化チャネル状態情報フィードバックをもたらすこと、
前記復号化チャネル状態情報フィードバックに基づいて、前記伝送プロトコルに関する伝送スケジューリング・パラメータを決定すること、および
前記ユーザ機器に前記伝送スケジューリング・パラメータを送信することを容易にすること
を含む動作の実施を容易にする実行可能命令を記憶するメモリと
を備えるネットワーク・デバイス。
【請求項９】
前記動作が、前記伝送プロトコルに基づくトラフィック・データを前記ユーザ機器に送信することを容易にすることをさらに含む請求項８に記載のネットワーク・デバイス。
【請求項１０】
前記メトリックを決定することが、前記ユーザ機器の速度測定値を様々な時刻に取得することを含み、前記メトリックが、前記速度測定値の平均または中央値を含む請求項８に記載のネットワーク・デバイス。
【請求項１１】
前記メトリックを決定することが、前記ユーザ機器から前記ネットワーク・デバイスへのアップリンク・チャネルの特性の変化率を決定することを含む請求項８に記載のネットワーク・デバイス。
【請求項１２】
前記メトリックを決定することが、前記ネットワーク・デバイスと前記ユーザ機器との間の前記伝送のチャネル品質情報の変化率を決定することを含む請求項８に記載のネットワーク・デバイス。
【請求項１３】
前記伝送スケジューリング・パラメータが、前記ユーザ機器と前記ネットワーク・デバイスとの間の前記伝送についてのデータ・ストリームの変調およびコーディングに適用可能な変調およびコーディング・パラメータを含む請求項８に記載のネットワーク・デバイス。
【請求項１４】
前記ユーザ機器に命令する前記メッセージが、前記ネットワーク・デバイスと前記ユーザ機器との間の前記伝送についてのプリコーディング行列を選択するために使用されるチャネル状態情報の第３の標識を前記チャネル状態情報フィードバック・レポートから除外するようにとの命令を含む請求項８に記載のネットワーク・デバイス。
【請求項１５】
プロセッサと、
前記プロセッサによって実行されるとき、
ユーザ機器によって受信されたと決定される、信号の受信された周波数と、前記信号を送信するために使用されたと決定される実際の周波数とのシフトを表すメトリックを決定すること、
前記メトリックがしきい値を超過すると判定されたことに応答して、プリコーディング・ランク値１を有する伝送信号の受信を可能にするように前記ユーザ機器に命令するメッセージを前記ユーザ機器に送信することを容易にすることであって、前記プリコーディング・ランク値１が、前記ネットワーク・ノード・デバイスから前記ユーザ機器への同時の、同一の内容を含むデータの伝送を示すこと、
前記ユーザ機器に特有の、前記プリコーディング・ランク値１を有する基準信号を前記ユーザ機器に送信することを容易にすること、
前記基準信号のそれぞれを評価することから決定される、チャネル品質の標識を含むフィードバックを前記ユーザ機器から受信することであって、チャネル品質の前記標識が、前記ネットワーク・ノード・デバイスと前記ユーザ機器との間のチャネルの品質に適用可能である、受信すること、
前記フィードバックに基づいて、チャネル品質の前記標識のうちの１つを選択して、前記ネットワーク・ノード・デバイスから前記ユーザ機器へのさらなる伝送についての伝送プロトコルに関する伝送スケジューリング・パラメータを決定すること、および
前記ユーザ機器に前記伝送スケジューリング・パラメータを送信することを容易にすること
を含む動作の実施を容易にする実行可能命令を記憶するメモリと
を備えるネットワーク・ノード・デバイス。
【請求項１６】
前記動作が、前記伝送プロトコルに基づくトラフィック・データを前記ユーザ機器に送信することを容易にすることをさらに含む請求項１５に記載のネットワーク・ノード・デバイス。
【請求項１７】
前記メトリックを決定することが、前記ユーザ機器の速度測定値を複数回取得することを含み、前記メトリックが前記速度測定値の平均を含む請求項１５に記載のネットワーク・ノード・デバイス。
【請求項１８】
前記メトリックを決定することが、前記ユーザ機器から前記ネットワーク・ノード・デバイスへのアップリンク・チャネルの特性の変化率を決定することを含む請求項１５に記載のネットワーク・ノード・デバイス。
【請求項１９】
前記メトリックを決定することが、前記ネットワーク・ノード・デバイスから前記ユーザ機器への前の伝送のチャネル品質情報の変化率を決定することを含み、前記前の伝送が、前記メトリックを決定する前に行われる請求項１５に記載のネットワーク・ノード・デバイス。
【請求項２０】
前記ユーザ機器に命令する前記メッセージが、
前記ネットワーク・ノード・デバイスと前記ユーザ機器との間で伝送される異なるデータ・ストリームの数を表すランクの第１の標識と、
前記ネットワーク・ノード・デバイスから前記ユーザ機器へのさらなる伝送についてのプリコーディング行列を選択するために使用されるチャネル状態情報の第２の標識と
を前記フィードバックから除外するようにとの命令をさらに含む請求項１５に記載のネットワーク・ノード・デバイス。
【発明の詳細な説明】
【技術分野】
【０００１】
関連出願の相互参照
本願は、参照によりその全体が本明細書に組み込まれている、「ＭＵＬＴＩ−ＡＮＴＥＮＮＡ  ＴＲＡＮＳＭＩＳＳＩＯＮ  ＰＲＯＴＯＣＯＬＳ  ＦＯＲ  ＨＩＧＨ  ＤＯＰＰＬＥＲ  ＣＯＮＤＩＴＩＯＮＳ」という名称の２０１７年５月５日に出願した米国出願第１５／５８８１００号の優先権を主張するものである。
【０００２】
本願は、一般には移動体通信の分野に関し、より詳細には、高ドップラー条件のためのマルチアンテナ伝送プロトコルに関する。
【背景技術】
【０００３】
セルラ通信での無線技術は、１９８０年代のアナログ・セルラ・システムの立上げ以来、１９８０年代の第１世代（１Ｇ）、１９９０年代の第２世代（２Ｇ）、２０００年代の第３世代（３Ｇ）、および２０１０年代の第４世代（４Ｇ）（ＴＤ−ＬＴＥ、ＡＸＧＰ、ＬＴＥ−Ａ、ＴＤ−ＬＴＥ−Ａ、および他のリリースなどのＬＴＥの変形を含む）から始めて、急速に成長し、進歩してきた。セルラ・ネットワーク内のトラフィック量は、途方もない量の成長および拡大を遂げ、そのような成長が減速する徴候はない。この成長が人間だけではなく、互いに通信する、ますます増加する機械、たとえば監視カメラ、スマート電気グリッド、センサ、ホームアプライアンス、およびコネクテッドホームの他の技術、ならびにインテリジェント輸送システム（たとえば、モノのインターネット（ＩＯＴ））によるネットワークの使用を含むことになることが予想される。追加の技術的成長には、４Ｋビデオ、拡張現実、クラウド・コンピューティング、産業オートメーション、およびＶ２Ｖが含まれる。
【０００４】
したがって、将来のネットワークの進歩は、大規模な接続性およびボリューム、スループットおよび容量の拡張、ならびに超低待ち時間を提供し、反映する必要によって推進される。Ｎｅｗ  Ｒａｄｉｏ（ＮＲ）アクセス・ネットワークとも呼ばれ得る第５世代（５Ｇ）アクセス・ネットワークが現在開発中であり、とりわけモバイル・ブロードバンド（ＭＢＢ）および機械型通信（たとえば、ＩＯＴデバイスを使用する）を含む、非常に広範な使用ケースおよび要求を処理することが期待されている。モバイル・ブロードバンドでは、５Ｇワイヤレス通信ネットワークは、指数関数的に増大するデータ・トラフィックの必要を満たすこと、ならびに人々および機械がほぼゼロ待ち時間でギガビット・データ・レートを楽しむことを可能にすることが期待されている。ｌｏｎｇ−ｔｅｒｍ  ｅｖｏｌｕｔｉｏｎ（ＬＴＥ）ネットワークやａｄｖａｎｃｅｄ  ＬＴＥネットワークなどの既存の第４世代（４Ｇ）技術と比較して、５Ｇは、低い待ち時間と共にずっと高いスループットを目標とし、より高い搬送周波数（たとえば、６Ｇｈｚ超）および広い帯域幅を利用して、既存の４Ｇネットワークよりも良好な速度およびカバレッジを提供する。５Ｇネットワークはまた、数十万の接続までネットワーク拡張性を増大させる。
【０００５】
ワイヤレス・ネットワークに関する前述の背景は、いくつかの現在の問題の文脈上の概観を与えるためのものに過ぎず、網羅的なものではない。以下の詳細な説明を検討するとき、他の文脈上の情報がさらに明らかとなり得る。
【発明の概要】
【０００６】
以下の図を参照しながら、本開示の非限定的で非網羅的な実施形態が説明され、別段に指定されていない限り、同様の参照番号が、様々な図全体にわたって同様の部分を指す。
【図面の簡単な説明】
【０００７】
【図１】ネットワーク・ノード・デバイス（たとえば、ネットワーク・ノード）およびユーザ機器（ＵＥ）がその中で本開示の様々な態様および実施形態を実装し得る、例示的なワイヤレス通信システムを示す図である。
【図２】本開示の様々な態様および実施形態による４Ｇ  ＭＩＭＯ伝送プロトコルまたはスキームの一般的構造を示す図である。
【図３】ランク４送信機と対比したランク１送信機を示す、ランクの概念の一例を示す図である。
【図４】本開示の様々な態様および実施形態による、閉ループＭＩＭＯスキームについてのネットワーク・ノード・デバイスとＵＥとの間の例示的なメッセージ・シーケンス・チャートを示す図である。
【図５】本開示の様々な態様および実施形態による、ドップラー周波数の関数としての閉ループＭＩＭＯプロトコルのスペクトル効率を示すグラフである。
【図６】本開示の様々な態様および実施形態による、ドップラー周波数に応じた閉ループＭＩＭＯプロトコルとランク１プリコーダ・サイクリング・プロトコルとの間の切換えの例示的な実施形態を示すダイアグラムである。
【図７】本開示の様々な態様および実施形態による、ドップラー周波数の関数としての閉ループＭＩＭＯプロトコルとランク１プリコーダ・サイクリング・プロトコルの両方のスペクトル効率を示すグラフである。
【図８】本開示の様々な態様および実施形態による、ランク１プリコーダ・サイクリング・プロトコルについてのネットワーク・ノードとＵＥとの間のメッセージ・シーケンス・チャートを示す図である。
【図９】本開示の様々な態様および実施形態による、判断基準としてのドップラー・メトリックを有する例示的なフローチャートを示す図である。
【図１０】本開示の様々な態様および実施形態による、コードブック・サブセット制限（ＣＢＳＲ）の使用を含む、ネットワーク・ノードとＵＥとの間のメッセージ・シーケンス・チャートを示す図である。
【図１１】本開示の様々な態様および実施形態による、判断基準としてのドップラー・メトリックを有する別の例示的なフローチャートを示す図である。
【図１２】本開示の様々な態様および実施形態による、ランク１プリコーダ・サイクリングに関するネットワーク・ノード・デバイスによって実施され得る動作を示す図である。
【図１３】本開示の様々な態様および実施形態による、ＣＢＳＲを伴う閉ループＭＩＭＯに関するネットワーク・ノード・デバイスによって実施され得る動作を示す図である。
【図１４】本開示の様々な態様および実施形態による、ランク１プリコーダ・サイクリングに関するＵＥによって実施され得る動作を示す図である。
【図１５】本開示の様々な態様および実施形態による、ランク１プリコーダ・サイクリングに関するネットワーク・ノード・デバイスによって実施され得る動作の別のセットを示す図である。
【図１６】本開示の様々な態様および実施形態による、モバイル・ハンドセットであり得る例示的なユーザ機器の例示的なブロック図である。
【図１７】本開示の様々な態様および実施形態による、プロセスおよび方法を実行するように動作可能であり得るコンピュータの例示的なブロック図である。
【発明を実施するための形態】
【０００８】
次に、図面を参照しながら本開示が説明され、同様の参照番号が、全体にわたって同様の要素を指すのに使用される。以下の説明および添付の図面は、主題のいくつかの例示的な態様を詳細に説明する。しかしながら、これらの態様は、主題の原理が利用され得る様々な方式のうちのほんのいくつかを示すに過ぎない。与えられる図面と共に考慮するとき、以下の詳細な説明から、開示される主題の他の態様、利点、および新規な特徴が明らかとなるであろう。以下の説明では、説明のために、本開示の完全な理解を与えるために多数の特定の詳細が説明される。しかしながら、本開示がこれらの特定の詳細なしに実施され得ることは明らかであり得る。他の場合には、本開示を説明するのを容易にするために、周知の構造およびデバイスがブロック図形式で示される。たとえば、本明細書で説明される方法（たとえば、プロセスおよび論理フロー）は、本明細書で説明される動作の実施を容易にするために機械実行可能命令を実行するプログラマブル・プロセッサを備えるデバイス（たとえば、ユーザ機器（ＵＥ）、ネットワーク・ノード・デバイスなど）によって実施され得る。そのようなデバイスの例は、図１６および図１７で説明されるような回路および構成要素を備えるデバイスであり得る。
【０００９】
本特許出願は、高ドップラー条件に応答するマルチアンテナ伝送スキームの実装に関する。この点で、例示的なコンピュータ処理システム、コンピュータ実装方法、装置、およびコンピュータ・プログラム製品が本明細書で説明され、それによって、ネットワーク・ノード・デバイスは、メトリック（たとえば、ドップラー・メトリック）がしきい値を超過したと判定されたことに応答して、異なる伝送プロトコルに変化し得る。プロトコルは、たとえばランク１プリコーダ・サイクリング状態であり得、それによって、ネットワーク・ノードは、プリコーディング・ランク値１（ランク「１」）を有する伝送信号の受信を可能にするようにユーザ機器に命令するメッセージを送信することを容易にし得る。ネットワーク・ノード・デバイスは、プリコーディング・ランク値１を有する基準信号を送り、チャネル品質の標識を含むフィードバックをＵＥから受信し得る。他の実施形態では、メトリックがしきい値を超過したと判定されたことに応答して、ネットワーク・ノードは、既存の閉ループＭＩＭＯプロトコルまたはスキームを使用し得、その中でコードブック・サブセット制限（ＣＢＳＲ）が使用される。これは、たとえば、チャネル状態情報フィードバック内に、値１を有するランクの第１の標識（たとえば、ＬＴＥ用語のランク標識、すなわちＲＩ）と、チャネル品質の第２の標識（たとえば、ＬＴＥ用語のチャネル品質標識、すなわちＣＱＩ）とを含めることによって基準信号に応答するようにユーザ機器に命令するメッセージの送信を容易にすることを含み得る。これらのプロトコルのどちらのプロトコルでも、ＵＥは、チャネル状態情報の標識（たとえば、ＬＴＥ用語のプリコーディング行列標識、すなわちＰＭＩ）をレポートしないように命令され得る。
【００１０】
図１は、本開示の様々な態様および実施形態による例示的なワイヤレス通信システム１００を示す。１つまたは複数の実施形態では、システム１００は１つまたは複数のユーザ機器ＵＥ１０２を備え得る。非限定的な用語であるユーザ機器は、セルラまたはモバイル通信システム内のネットワーク・ノードと通信し得る任意のタイプのデバイスを指し得る。ＵＥは、垂直および水平素子を有する１つまたは複数のアンテナ・パネルを有し得る。ＵＥの例には、ターゲットデバイス、デバイス間（Ｄ２Ｄ）ＵＥ、機械型ＵＥもしくは機械間（Ｍ２Ｍ）通信が可能なＵＥ、携帯情報端末（ＰＤＡ）、タブレット、移動端末、スマートフォン、ラップトップ搭載機器（ＬＭＥ）、移動体通信のために使用可能にされるユニバーサル・シリアル・バス（ＵＳＢ）ドングル、モバイル機能を有するコンピュータ、セルラフォンなどのモバイル・デバイス、ラップトップ組込み機器（ＬＥＥ、モバイル・ブロードバンド・アダプタなど）を有するラップトップ、モバイル・ブロードバンド・アダプタを有するタブレット・コンピュータ、ウェアラブル・デバイス、バーチャル・リアリティ（ＶＲ）デバイス、ヘッドアップ・ディスプレイ（ＨＵＤ）デバイス、スマート・カー、機械型通信（ＭＴＣ）デバイスなどが含まれる。ユーザ機器ＵＥ１０２には、ワイヤレスに通信するＩＯＴデバイスをも含まれ得る。
【００１１】
様々な実施形態では、システム１００は、１つまたは複数のワイヤレス通信ネットワーク・プロバイダによってサービスされるワイヤレス通信ネットワークであり、またはそれを備える。例示的な実施形態では、ＵＥ１０２は、ネットワーク・ノード１０４を介してワイヤレス通信ネットワークに通信可能に結合され得る。ネットワーク・ノード（たとえば、ネットワーク・ノード・デバイス）はユーザ機器（ＵＥ）と通信し得、したがってＵＥと、より広いセルラ・ネットワークとの間の接続性を提供する。
【００１２】
図１をさらに参照すると、ネットワーク・ノードは、キャビネットおよび他の保護されたエンクロージャと、アンテナ・マストと、様々な伝送動作（たとえば、ＭＩＭＯ動作）を実施するための複数のアンテナとを有し得る。ネットワーク・ノードは、アンテナの構成およびタイプに応じて、セクタとも呼ばれるいくつかのセルにサービスし得る。ネットワーク・ノード（たとえば、ネットワーク・ノード１０４）の例には、限定はしないが、ＮｏｄｅＢデバイス、基地局（ＢＳ）デバイス、移動局、アクセス・ポイント（ＡＰ）デバイス、および無線アクセス・ネットワーク（ＲＡＮ）デバイスが含まれ得る。ネットワーク・ノード１０４はまた、限定はしないが、マルチスタンダード無線（ＭＳＲ）ＢＳ、ｅＮｏｄｅ  Ｂデバイス（たとえば、進化型ＮｏｄｅＢ）、ネットワーク・コントローラ、無線ネットワーク・コントローラ（ＲＮＣ）、基地局コントローラ（ＢＳＣ）、中継局、ドナー・ノード制御中継局、送受信基地局（ＢＴＳ）、アクセス・ポイント、送信ポイント（ＴＰ）、送信／受信ポイント（ＴＲＰ）、送信ノード、リモート無線ユニット（ＲＲＵ）、リモート・ラジオ・ヘッド（ＲＲＨ）、分散アンテナ・システム（ＤＡＳ）内のノードなどを含むＭＳＲ無線ノード・デバイスをも含み得る。５Ｇ用語では、ノードはｇＮｏｄｅＢデバイスと呼ばれることがある。
【００１３】
例示的な実施形態では、ＵＥ１０２は、ワイヤレス・リンクを介してネットワーク・ノード１０４に通信データを送り、かつ／または受信し得る。ネットワーク・ノード１０４からＵＥ１０２への破線の矢印は、ダウンリンク（ＤＬ）通信を表し、ＵＥ１０２からネットワーク・ノード１０４への実線の矢印は、アップリンク（ＵＬ）通信を表す。
【００１４】
システム１００は、ネットワーク・ノード１０４および／または１つもしくは複数の通信サービス・プロバイダ・ネットワーク１０６内に含まれる様々な追加のネットワーク・デバイス（図示せず）を介して、ＵＥ１０２を含む様々なＵＥにワイヤレス通信サービスを提供することを容易にする１つまたは複数の通信サービス・プロバイダ・ネットワーク１０６をさらに含み得る。１つまたは複数の通信サービス・プロバイダ・ネットワーク１０６は、限定はしないが、セルラ・ネットワーク、フェムト・ネットワーク、ピコセル・ネットワーク、マイクロセル・ネットワーク、インターネット・プロトコル（ＩＰ）ネットワーク、Ｗｉ−Ｆｉサービス・ネットワーク、ブロードバンド・サービス・ネットワーク、エンタープライズネットワーク、クラウドベースのネットワークなどを含む様々なタイプの異種ネットワークを含み得る。たとえば、少なくとも１つの実装では、システム１００は、様々な地理的エリアにわたる大規模ワイヤレス通信ネットワークであり得、またはそれを含み得る。この実装によれば、１つまたは複数の通信サービス・プロバイダ・ネットワーク１０６は、ワイヤレス通信ネットワークならびに／あるいはワイヤレス通信ネットワークの様々な追加のデバイスおよび構成要素（たとえば、追加のネットワーク・デバイスおよびセル、追加のＵＥ、ネットワーク・サーバ・デバイスなど）であり得、またはそれを含み得る。ネットワーク・ノード１０４は、１つまたは複数のバックホール・リンク１０８を介して１つまたは複数の通信サービス・プロバイダ・ネットワーク１０６に接続され得る。たとえば、１つまたは複数のバックホール・リンク１０８は、Ｔ１／Ｅ１電話線、デジタル加入者線（ＤＳＬ）（たとえば、同期または非同期）、非対称ＤＳＬ（ＡＤＳＬ）、光ファイバ・バックボーン、同軸ケーブルなどのワイヤード・リンク構成要素を備え得る。１つまたは複数のバックホール・リンク１０８はまた、限定はしないが、地上エアインターフェースまたは深宇宙リンク（たとえば、ナビゲーション用の衛星通信リンク）を含み得る、視線（ＬＯＳ）または非ＬＯＳリンクなどのワイヤレス・リンク構成要素をも含み得る。
【００１５】
ワイヤレス通信システム１００は、デバイス間（たとえば、ＵＥ１０２とネットワーク・ノード１０４との間）のワイヤレス無線通信を容易にするように、様々なセルラ・システム、技術、および変調スキームを利用し得る。例示的な実施形態が５Ｇ  ｎｅｗ  ｒａｄｉｏ（ＮＲ）システムについて説明されることがあるが、実施形態は、ＵＥが複数の搬送波を使用して動作する、任意の無線アクセス技術（ＲＡＴ）またはマルチＲＡＴシステム、たとえばＬＴＥＦＤＤ／ＴＤＤ、ＧＳＭ／ＧＥＲＡＮ、ＣＤＭＡ２０００などに適用可能であり得る。
【００１６】
たとえば、システム１００は、ｇｌｏｂａｌ  ｓｙｓｔｅｍ  ｆｏｒ  ｍｏｂｉｌｅ  ｃｏｍｍｕｎｉｃａｔｉｏｎｓ（ＧＳＭ）、ｕｎｉｖｅｒｓａｌ  ｍｏｂｉｌｅ  ｔｅｌｅｃｏｍｍｕｎｉｃａｔｉｏｎｓ  ｓｅｒｖｉｃｅ（ＵＭＴＳ）、ｌｏｎｇ  ｔｅｒｍ  ｅｖｏｌｕｔｉｏｎ（ＬＴＥ）、ＬＴＥ周波数分割複信（ＬＴＥ  ＦＤＤ、ＬＴＥ時分割複信（ＴＤＤ）、高速パケット・アクセス（ＨＳＰＡ）、符号分割多元接続（ＣＤＭＡ）、広帯域ＣＤＭＡ（ＷＣＭＤＡ）、ＣＤＭＡ２０００、時分割多元接続（ＴＤＭＡ）、周波数分割多元接続（ＦＤＭＡ）、マルチキャリア符号分割多元接続（ＭＣ−ＣＤＭＡ）、シングル・キャリア符号分割多元接続（ＳＣ−ＣＤＭＡ）、シングル・キャリアＦＤＭＡ（ＳＣ−ＦＤＭＡ）、直交周波数分割多重方式（ＯＦＤＭ）、離散フーリエ変換拡散ＯＦＤＭ（ＤＦＴ−ｓｐｒｅａｄ  ＯＦＤＭ）、シングル・キャリアＦＤＭＡ（ＳＣ−ＦＤＭＡ）、フィルタ・バンク・ベースのマルチキャリア（ＦＢＭＣ）、ｚｅｒｏ  ｔａｉｌ  ＤＦＴ−ｓｐｒｅａｄ−ＯＦＤＭ（ＺＴ  ＤＦＴ−ｓ−ＯＦＤＭ）、一般化周波数分割多重化（ＧＦＤＭ）、ｆｉｘｅｄ  ｍｏｂｉｌｅ  ｃｏｎｖｅｒｇｅｎｃｅ（ＦＭＣ）、ｕｎｉｖｅｒｓａｌ  ｆｉｘｅｄ  ｍｏｂｉｌｅ  ｃｏｎｖｅｒｇｅｎｃｅ（ＵＦＭＣ）、ｕｎｉｑｕｅ  ｗｏｒｄ  ＯＦＤＭ（ＵＷ−ＯＦＤＭ）、ｕｎｉｑｕｅ  ｗｏｒｄ  ＤＦＴ−ｓｐｒｅａｄ  ＯＦＤＭ  （ＵＷ  ＤＦＴ−Ｓｐｒｅａｄ−ＯＦＤＭ）、巡回プレフィックスＯＦＤＭ  ＣＰ−ＯＦＤＭ、ｒｅｓｏｕｒｃｅ−ｂｌｏｃｋ−ｆｉｌｔｅｒｅｄ  ＯＦＤＭ、Ｗｉ−Ｆｉ、ＷＬＡＮ、ＷｉＭＡＸなどに従って動作し得る。しかしながら、システム１００の様々な特徴および機能が具体的に説明され、システム１００のデバイス（たとえば、ＵＥ１０２およびネットワーク・デバイス１０４）が、１つまたは複数のマルチキャリア変調スキームを使用してワイヤレス信号を通信するように構成され、データ・シンボルが、複数の周波数副搬送波を介して同時に送信され得る（たとえば、ＯＦＤＭ、ＣＰ−ＯＦＤＭ、ＤＦＴ−ｓｐｒｅａｄ  ＯＦＤＭ、ＵＦＭＣ、ＦＭＢＣなど）。実施形態は、ＵＥのシングル・キャリアならびにマルチキャリア（ＭＣ）またはキャリア・アグリゲーション（ＣＡ）動作に適用可能である。キャリア・アグリゲーション（ＣＡ）という用語は、「マルチキャリア・システム」、「マルチセル・オペレーション」、「マルチキャリア動作」、「マルチキャリア」送信および／または受信とも呼ばれる（たとえば、互換的に呼ばれる）。いくつかの実施形態は、いくつかの搬送波上のＭｕｌｔｉ  ＲＡＢ（無線ベアラ）に対しても適用可能である（すなわち、データと音声が同時にスケジューリングされる）ことに留意されたい。
【００１７】
様々な実施形態では、システム１００は、５Ｇワイヤレス・ネットワーキング特徴および機能を提供および利用するように構成され得る。５Ｇワイヤレス通信ネットワークは、指数関数的に増大するデータ・トラフィックの必要を満たすこと、ならびに人々および機械がほぼゼロ待ち時間でギガビット・データ・レートを楽しむことを可能にすることが期待されている。４Ｇと比較して、５Ｇは、より多様なトラフィック・シナリオをサポートする。たとえば、４Ｇネットワークでサポートされる従来型ＵＥ（たとえば、電話、スマートフォン、タブレット、ＰＣ、テレビジョン、インターネット対応テレビジョンなど）間の様々なタイプのデータ通信に加えて、５Ｇネットワークは、無人車環境に関連するスマート・カー間のデータ通信、ならびに機械型通信（ＭＴＣ）をサポートするのに利用され得る。これらの異なるトラフィック・シナリオの根本的に異なる通信を考慮すると、マルチキャリア変調スキーム（たとえば、ＯＦＤＭおよび関連スキーム）の利点を保持しながら、トラフィック・シナリオに基づいて波形パラメータを動的に構成する能力が、５Ｇネットワークの高速度／容量および低待ち時間の必要への著しい寄与をもたらし得る。帯域幅をいくつかのサブバンドに分割する波形を用いて、異なるタイプのサービスが、最も適切な波形およびヌメロロジを有する、異なるサブバンド内に収容され得、５Ｇネットワークのスペクトル利用が改善される。
【００１８】
データ中心アプリケーションの必要を満たすために、提案される５Ｇネットワークの特徴は、向上したピーク・ビット・レート（たとえば、２０Ｇｂｐｓ）、単位面積当たりのより大きいデータ・ボリューム（たとえば、高いシステム・スペクトル効率、たとえば、Ｌｏｎｇ  Ｔｅｒｍ  Ｅｖｏｌｕｔｉｏｎ（ＬＴＥ）システムのスペクトル効率の約３．５倍）、より高いデバイス接続性を同時かつ瞬間的に可能にする高容量、より低い電池／電力消費（エネルギーおよび消費コストを低減する）、ユーザが位置する地理的領域とは無関係の、より良好な接続性、より多数のデバイス、より低いインフラストラクチャ開発コスト、およびより高い通信の信頼性を含み得る。したがって、５Ｇネットワークは、毎秒数十メガビットのデータ・レートが数万人のユーザについてサポートされるべきこと、毎秒１ギガビットが同じオフィス・フロア上の数十人の作業者について同時に提供されるべきこと、たとえば、数十万の同時接続が、大規模なセンサ配置についてサポートされるべきこと、カバレッジの改善、シグナリング効率の向上、ＬＴＥと比較した待ち時間の削減を可能にし得る。
【００１９】
来たるべき５Ｇアクセス・ネットワークは、容量を向上させるのを助けるために、より高い周波数（たとえば、＞６ＧＨｚ）を利用し得る。現在、ミリメートル波（ｍｍＷａｖｅ）スペクトルの大部分、３０ギガヘルツ（ＧＨｚ）から３００ＧＨｚの間のスペクトルの帯域は十分に利用されていない。ミリメートル波は、１０ミリメートルから１ミリメートルまでの範囲のより短い波長を有し、これらのｍｍＷａｖｅ信号は、厳しい経路損失、透過損失、およびフェージングを受ける。しかしながら、ｍｍＷａｖｅ周波数のより短い波長はまた、より多くのアンテナを同一の物理的寸法にまとめることを可能にし、そのことは、大規模な空間多重化および高指向性ビーム形成を可能とする。
【００２０】
送信機と受信機の両方が複数のアンテナを備える場合、性能が改善され得る。マルチアンテナ技法は、ワイヤレス通信システムのデータ・レートおよび信頼性を著しく向上させ得る。ｔｈｉｒｄ−ｇｅｎｅｒａｔｉｏｎ  ｐａｒｔｎｅｒｓｈｉｐ  ｐｒｏｊｅｃｔ（３ＧＰＰ）で導入され、（ＬＴＥを含めて）使用されている多入力多出力（ＭＩＭＯ）技法の使用は、伝送のスペクトル効率を改善し得、それによってワイヤレス・システムの全データ搬送能力を著しく引き上げるマルチアンテナ技法である。多入力多出力（ＭＩＭＯ）技法の使用は、ｍｍＷａｖｅ通信を改善し得、より高い周波数で動作するアクセス・ネットワークのための潜在的に重要な構成要素と広く認識されてきた。ＭＩＭＯは、ダイバーシティ利得、空間多重化利得、およびビーム形成利得を達成するために使用され得る。これらの理由で、ＭＩＭＯシステムは、第３および第４世代ワイヤレス・システムの重要な部分であり、５Ｇシステムでの使用が計画されている。
【００２１】
マルチアンテナを使用することは、ＭＩＭＯが使用されていることを常に意味するわけではないことに留意されたい。たとえば、構成は、２つのダウンリンク・アンテナを有し得、これらの２つのアンテナは様々な方式で使用され得る。２×２ＭＩＭＯスキームでアンテナを使用することに加えて、２つのアンテナはまた、ＭＩＭＯ構成ではなく、ダイバーシティ構成でも使用され得る。複数のアンテナであっても、特定のスキームは、アンテナのうちの１つだけを使用することがある（たとえば、単一の送信アンテナおよび単一の受信アンテナを使用する、ＬＴＥ仕様の伝送モード１）。または、様々な異なる多重化、プリコーディング方法などと共に、ただ１つのアンテナが使用され得る。
【００２２】
ＭＩＭＯ技法は、伝送システムの一端の送信アンテナ（Ｍ）および受信アンテナ（Ｎ）の数に関してＭＩＭＯ構成を表すのに、一般に知られている表記（Ｍ×Ｎ）を使用する。様々な技術のために使用される一般的なＭＩＭＯ構成は、（２×１）、（１×２）、（２×２）、（４×２）、（８×２）、および（２×４）、（４×４）、（８×４）である。（２×１）および（１×２）によって表される構成は、送信ダイバーシティ（または空間ダイバーシティ）および受信ダイバーシティとして知られるＭＩＭＯの特別なケースである。送信ダイバーシティ（または空間ダイバーシティ）および受信ダイバーシティに加えて、空間多重化（開ループおよび閉ループを含む）、ビーム形成、コードブック・ベースのプリコーディングなどの他の技法も、効率、干渉、および範囲などの問題に対処するために使用され得る。
【００２３】
図２は、８アンテナ・ポートについての４Ｇシステムでのマルチアンテナ伝送を示す。より多くのアンテナ・ポートを有する類似の構造が、５Ｇシステムのために使用されることが予想される。一般には、アンテナ・マッピングは、データ変調の出力から、異なるアンテナ・ポートへのマッピングとして説明され得る。したがって、アンテナ・マッピングに対する入力は、１つまたは２つのトランスポート・ブロックに対応する変調シンボル（ＱＰＳＫ、１６ＱＡＭ、６４ＱＡＭ、２５６ＱＡＭ）からなる。より具体的には、空間多重化を除いて伝送時間間隔（ＴＴＩ）当たり１つのトランスポート・ブロックがあり、空間多重化のケースでは、ＴＴＩ当たり最大２つのトランスポート・ブロックがあり得る。アンテナ・マッピングの出力は、各アンテナ・ポートについてのシンボルのセットを含む。その後で、各アンテナ・ポートのシンボルがＯＦＤＭ変調器に印加され、すなわちそのアンテナ・ポートに対応する基本ＯＦＤＭ時間周波数グリッドにマッピングされる。
【００２４】
次に図３を参照すると、別の概念は、伝送のランクの概念である。複数アンテナ技法では、着信データが、複数のアンテナを通じて送信されるように分割され得、アンテナを通じて処理され、送信される各データ・ストリームは、送信レイヤと呼ばれる。送信レイヤ数は、通常は送信アンテナ数である。データは、いくつかの並列ストリームに分割され得、各ストリームは異なる情報を含む。別のタイプでは、着信データが複製され、各アンテナが同一の情報を送信する。空間レイヤという用語は、他のレイヤに含まれない情報を含むデータ・ストリームを指す。伝送のランクは、ＬＴＥ空間多重化伝送での空間レイヤ数、または言い換えると、並列に送信される異なる送信レイヤ数に等しい。図３に示されるように、複数のアンテナ送信機３０５は、すべての４つのアンテナ上でユーザ機器に同一の内容または情報（Ａ、Ｂ、およびＣ）を並列に送信する。各レイヤ内の情報が数学的演算によって異なる方式で操作され得るとしても、これらの演算は、送信される情報を変更せず、したがって送信機３０５はランク１送信機として動作すると呼ばれ得る。マルチアンテナ送信機３１０では、異なる情報（ＡＢＣ、ＤＥＦ、ＧＨＩ、およびＪＫＬ）が４つの異なるレイヤで同時に送信され、したがって送信機３１０はランク４送信機として動作する。
【００２５】
前述のように、いくつかのマルチアンテナ送信技法が存在する。図４は、コードブック・ベースのプリコーディングを使用する閉ループ空間多重化スキームを使用する１つのそのような技法に関するトランザクション・ダイアグラム（たとえば、シーケンス・チャート）を示す（開ループ・システムは、送信機でのチャネルの知識を必要とせず、一方閉ループ・システムは、ＵＥによるフィードバック・チャネルによって提供される、送信機でのチャネル知識を必要とする）。簡潔に述べると、この技法では、まず基準信号（パイロット信号、またはパイロットとも呼ばれる）が、ネットワーク・ノードからＵＥに送られる。基準信号から、ＵＥは、チャネル状態情報（ＣＳＩ）レポーティングのために必要なチャネル推定およびパラメータを計算し得る。ＬＴＥでは、ＣＳＩレポートは、たとえば、チャネル品質標識（ＣＱＩ）、プリコーディング行列索引（ＰＭＩ）、ランク情報（ＲＩ）などを含む。ＣＳＩレポートは、周期的に、または要求時ベースのＣＳＩ（たとえば、非周期的ＣＳＩレポーティング）で、フィードバック・チャネルを介してネットワーク・ノードに送られる。ネットワーク・ノード・スケジューラは、この特定のＵＥのスケジューリングのためにパラメータを選ぶ際に、この情報を使用する。ネットワーク・ノードは、物理ダウンリンク制御チャネル（ＰＤＣＣＨ）と呼ばれるダウンリンク制御チャネル上で、ＵＥにスケジューリング・パラメータを送る。その後、実際のデータ転送が（たとえば、物理ダウンリンク共有チャネル（ＰＤＳＣＨ）上で）ネットワーク・ノードからＵＥに対して行われる。
【００２６】
図４を参照すると、ネットワーク・ノード（たとえば、ネットワーク・ノード１０４）が、トランザクション（１）で、基準信号（ＲＳ）は、ビーム形成または非ビーム形成され得る基準信号（ＲＳ）を、ユーザ機器（たとえば、ＵＥ１０２）に送信し得る。ダウンリンク基準信号は、ダウンリンク時間−周波数グリッド内の特定のリソース要素を占有する、事前定義された信号である。基準信号は、ユーザ機器１０２のプロファイルに関連してセル特有またはＵＥ特有のものであり得、あるいは何らかのタイプのモバイル識別子であり得る。異なる方式で送信され、受信側端末によって異なる目的のために使用される、いくつかのタイプのダウンリンク基準信号がある。チャネル状態情報基準信号（ＣＳＩ−ＲＳ）は、具体的には、チャネル状態情報（ＣＳＩ）およびビーム特有情報（ビームＲＳＲＰ）を取得するために端末によって使用されるように意図される。５Ｇでは、ＣＳＩ−ＲＳはＵＥ特有のものであり、したがって著しく低い時間／周波数密度を有し得る。ＵＥ特有の基準信号と呼ばれることのある復調基準信号（ＤＭ−ＲＳ）は、具体的には、データ・チャネルについてのチャネル推定のための端末によって使用されるように意図される。「ＵＥ特有」というラベルは、各復調基準信号が単一の端末によるチャネル推定のためのものであることに関係する。次いで、その特有の基準信号が、その端末へのデータ・トラフィック・チャネル送信のために割り当てられたリソース・ブロック内だけで送信される。
【００２７】
これらの基準信号（ＣＳＩ−ＲＳ、ＤＭ−ＲＳ）以外に、他の基準信号、すなわち様々な目的で使用される位相追跡基準信号、マルチキャストブロードキャスト単一周波数ネットワーク（ＭＢＳＦＮ）信号、および位置決め基準信号がある。
【００２８】
図４をさらに参照すると、この基準信号を受信した後、ブロック４０２で、ＵＥ１０２が基準信号を評価し、ＣＳＩを計算し得、ＣＳＩがＣＳＩフィードバック（たとえば、ＣＳＩレポート）としてネットワーク・ノードに送信され得る。ＣＳＩフィードバックは、チャネル状態情報の標識（たとえば、ＬＴＥではプリコーディング行列標識（ＰＭＩ）と呼ばれる）、チャネル品質の標識（たとえば、ＬＴＥではチャネル品質標識（ＣＱＩ）と呼ばれる）、およびランクの指示（たとえば、ＬＴＥではランク標識（ＲＩ）と呼ばれる）を含み、そのそれぞれが以下でさらに論じられる。
【００２９】
チャネル状態情報の標識（たとえば、ＬＴＥでのＰＭＩ）は、ネットワーク・ノードとＵＥとの間で伝送される、異なるデータ・ストリームについての伝送パラメータの選択のために使用され得る。コードブック・ベースのプリコーディングを使用する技法では、ネットワーク・ノードおよびＵＥは、規格仕様で見出され得る、異なるコードブックを使用し、そのそれぞれは、異なるタイプのＭＩＭＯ行列に関係する（たとえば、２×２ＭＩＭＯについてのプリコーディング行列のコードブック）。コードブックは、ノードおよびＵＥサイトで知られており（含まれ）、プリコーディング・ベクトルおよび行列のエントリを含み得、それが、ネットワーク・ノードのプリコーディング・ステージで信号と乗算される。これらのコードブック・エントリのどれを選択するかに関する判断が、ＵＥによって提供されるＣＳＩフィードバックに基づいて、ネットワーク・ノードで行われる。ＣＳＩは受信機では知られているが、送信機では知られていないからである。基準信号の評価に基づいて、ＵＥは、適切なコードブックの中からの適切なプリコーディング行列についての勧告を含む（たとえば、コードブック・エントリのうちの１つの中のプリコーダの索引を指し示す）フィードバックを送信する。プリコーディング行列を識別するこのＵＥフィードバックは、プリコーディング行列標識（ＰＭＩ）と呼ばれる。したがってＵＥは、ネットワーク・ノードとＵＥとの間の伝送に、どのプリコーディング行列がより適しているかを評価している。
【００３０】
さらに、ＣＳＩフィードバックはまた、ネットワーク側のリンク適合についてのネットワーク・ノードとユーザ機器との間のチャネルのチャネル品質を示す、チャネル品質の標識（たとえば、ＬＴＥではチャネル品質標識（ＣＱＩ））をも含み得る。ＵＥがレポートする値に応じて、ノードは、異なるトランスポート・ブロック・サイズでデータを送信する。ノードがＵＥから高ＣＱＩ値を受信した場合、ノードは、より大きいトランスポート・ブロック・サイズを有するデータを送信し、逆も同様である。
【００３１】
チャネル行列のランクの指示を提供する、ランクの標識（ＬＴＥ用語ではランク標識（ＲＩ））もＣＳＩフィードバック内に含まれ得、上記で論じたように、ランクは、ネットワーク・ノードとＵＥとの間で並列または同時に送信される異なる伝送データ・ストリーム（レイヤ）数（言い換えれば、空間レイヤ数）である。ＲＩは、ＣＳＩレポーティング・メッセージの残りの部分のフォーマットを決定する。一例として、ＬＴＥのケースでは、ＲＩが１であるとレポートされたとき、ランク１コードブックＰＭＩが１つのＣＱＩと共に送信され、ＲＩが２であるとき、ランク２コードブックＰＭＩおよび２つのＣＱＩが送信される。ＲＩはＰＭＩおよびＣＱＩのサイズを決定するので、ＲＩは別々に符号化され、したがって受信機はまずＲＩを復号化し、次いでＲＩを使用して、ＣＳＩの残りの部分（前述のように、情報の中でもとりわけ、ＰＭＩおよびＣＱＩを含む）を復号化する。通常、ネットワーク・ノードに対するランク指示フィードバックが、ダウンリンク・データ伝送での送信レイヤを選択するために使用され得る。たとえば、特定のＵＥについて、システムがＬＴＥ仕様での伝送モード３（または開ループ空間多重化）で構成されるとしても、同一のＵＥがネットワーク・ノードにランク値の標識を「１」とレポートした場合、ネットワーク・ノードは、送信ダイバーシティ・モードでＵＥにデータを送ることを開始し得る。ＵＥがＲＩを「２」とレポートした場合、ネットワーク・ノードは、ＭＩＭＯモード（たとえば、ＬＴＥ仕様で説明されるように、伝送モード３または伝送モード４）でダウンリンク・データを送ることを開始し得る。通常、ＵＥが不良な信号対雑音比（ＳＮＲ）を受け、送信されたダウンリンク・データを復号化が難しいとき、ＵＥは、ＲＩ値を「１」と示すことによって、フィードバックの形態でネットワーク・ノードに早期警告を提供する。ＵＥが良好なＳＮＲを受けるとき、ＵＥは、この情報をネットワーク・ノードに渡し、ランク値を「２」と示す。
【００３２】
図４をさらに参照すると、ＣＳＩフィードバックを計算した後、ＵＥ１０２が、トランザクション（２）で、基準信号が送られたチャネルとは別々のチャネルであり得るフィードバック・チャネルを介して、ＣＳＩフィードバックを送信する。ネットワーク・ノードは、ＣＳＩフィードバックを処理して、ＵＥ１０２に特有のネットワーク・ノード・デバイスによって信号の変調およびコーディングに適用可能な変調およびコーディング・パラメータを含む伝送スケジューリング・パラメータ（たとえば、ダウンリンク（ＤＬ）伝送スケジューリング・パラメータ）を決定し得る。
【００３３】
ネットワーク・ノード１０４によるＣＳＩフィードバックの処理は、図４のブロック４０４で示されるように、ＣＳＩフィードバックの復号化を含み得る。ＵＥは、ＲＩを復号化し、次いで復号化された情報（たとえば、ＣＳＩの取得されたサイズ）を使用して、ＣＳＩフィードバックの残りの部分（たとえば、ＣＱＩ、ＰＭＩなど）を復号化し得る。ネットワーク・ノード１０４は、復号化されたＣＳＩフィードバックを使用して、ネットワーク・ノード１０４とＵＥ１０２との間の異なる伝送の変調およびコーディングに適用可能な変調およびコーディング・スキーム（ＭＣＳ）、電力、物理リソース・ブロック（ＰＲＢ）などを含み得る、適切な伝送プロトコルを決定する。
【００３４】
ネットワーク・ノード１０４が、トランザクション（３）で、ダウンリンク制御チャネルを介してＵＥ１０２にパラメータを送信し得る。その後で、かつ／または同時に、トランザクション（４）で、トラフィック・データ（たとえば、テキスト、ｅメール、ピクチャ、オーディオ・ファイル、ビデオなどに関するデータなどの非制御データ）が、データ・トラフィック・チャネルを介して、ネットワーク・デバイス１０４からＵＥ１０２に転送され得る。
【００３５】
閉ループＭＩＭＯシステム、たとえば図４で説明されるシステムの性能は、高いＵＥ速度（たとえば、高速で移動するモバイル・デバイス）で低下する。高速で移動するＵＥの結果、ドップラー効果が生じ、それによって、信号の送信機が受信機に対して移動しているとき、ドップラー・シフトが生じる。この相対運動が信号の周波数を偏移させ、したがって受信機では、送信機とは異なるように知覚される。言い換えれば、受信機によって知覚される周波数は、送信機によって実際に放射された周波数とは異なる。信号対雑音比（ＳＮＲ）が高いとき、性能劣化は重大である。伝送でのランクが高い場合、ＳＮＲも高い。高ランク・システムでは、送信機チャネル品質と受信機チャネル品質との間の不整合による影響は重大である。
【００３６】
図５は、異なるＵＥ速度（ドップラー周波数で示される）に対する、２５ｄＢの高いＳＮＲでの４つの送信アンテナおよび４つの受信アンテナを有する閉ループＭＩＭＯシステムについてのスペクトル効率のプロット５０５を示すグラフ５００を示す。ライン・プロット５０５は、４つの送信アンテナおよび４つの受信アンテナを有するシステムについてのものであるが、同様のスペクトル効率とドップラー周波数の関係が、Ｎｔｘに等しいランクを有するＮｔｘシステムについて当てはまる。ただしＮｔｘは２、４、８、１６などであり得る。図５を観察すると、ＵＥの速度が増加するにつれて、古いチャネル状態情報のためにスループットが減少し（たとえば、ドップラー・シフトが、ＵＥによる正確な信号の測定を妨げる）、したがって、ドップラー周波数が増加するにつれてスペクトル効率が低下する。
【００３７】
本願は、高ドップラー条件についてのＭＩＭＯシステム（たとえば、５Ｇ  ＭＩＭＯシステム）の性能を改善し得る例示的なシステムおよび方法を説明する。システムおよび方法は、ＵＥ速度を識別すること、およびドップラー・メトリックしきい値が満たされている（または超過している）かどうかを判定すること、およびドップラー・メトリックが超過していると判定されたことに応答して、ランク１プリコーダ・サイクリング・プロトコルに変更するようにＵＥにシグナリングすることを含む。
【００３８】
図６は、いくつかの例示的な実施形態の概要を与えるダイアグラム６００を示す。例示的な実施形態では、伝送のためのプロトコルが、閉ループＭＩＭＯ状態６０５とランク１プリコーダ・サイクリング状態６１０との間で行き来し得、ネットワーク・ノードおよびＵＥはランク１伝送を確立する。ＵＥ（たとえば、ＵＥ１０２）が高ドップラー周波数で移動しており、その結果、ドップラー周波数（たとえば、Ｄｍ）に関するメトリックがしきい値（たとえば、Ｄｔｈ）よりも大きいことをネットワーク（たとえば、ネットワーク・ノード１０４）が検出したことに応答して（しきい値はＤｍ以上の値であり得る）、例示的な実施形態では、ネットワーク（たとえば、ネットワーク・ノード１０４）は、ランク１（たとえば、ランクの標識＝１、すなわちＲＩ＝１）プリコーダ・サイクリングに関与するように構成されるようにＵＥの受信プロトコルを変更するようにＵＥに命令するメッセージをＵＥに通信し得る。ＵＥは、ＵＥの受信プロトコルを変更して（たとえば、リソースを構成して）、ランク１プロトコルを有する、ＵＥに送信された信号（ランク１基準信号など）をＵＥが受信することを可能にし得る。ランク１プリコーダ・サイクリングで、ネットワーク・ノードは、送信側でランダム・プリコーダを使用し得る。ランク１プリコーダ・サイクリングは、リソース・ブロック・レベル（ＲＢ）またはリソース要素レベル（ＲＥ）で適用され得る。高ドップラー条件では、ランクが１に等しい伝送が、信頼性の向上を実現し得、それによって、送信機と受信機との間の高ドップラー・シフトによるＣＳＩ推定誤りを低減する。同様に、ＵＥがＵＥの速度を変更し、低速で移動していることをネットワークが検出したときはいつでも、ネットワークは、閉ループＭＩＭＯモードに戻り、（たとえば、上記の図４で説明したように）より通常の方式でＣＳＩをレポートするようにＵＥに通知する。
【００３９】
図７は、ランク１伝送（たとえば、本願で説明するランク１プリコーダ・サイクリング伝送）に伴うスペクトル効率と対比した、閉ループＭＩＭＯを使用する伝送のスペクトル効率を示すグラフ７００を示す。ドップラー周波数の関数としての閉ループＭＩＭＯシステムのスペクトル効率についてのプロット５０５に加えて、図７は、広帯域ＣＱＩを有するドップラー周波数の関数としての、ランク１プリコーダ・サイクリングに関する伝送についてのスペクトル効率の第２のプロット７０５を示す。図７から、ランク１プリコーダ・サイクリング性能はほとんど変動しないことが観察され得る。図７を参照すると、一定のドップラー周波数しきい値で、ランク１伝送が、１より大きいランクを有する閉ループＭＩＭＯを使用して行われる伝送のスペクトル効率よりも高いスペクトル効率をもたらし得る。たとえば、図７に示される例示的なグラフによると、ＵＥのドップラー周波数が約３２０のしきい値より高いとき、ネットワーク（たとえば、ネットワーク・ノード１０４）は、ランク１プリコーダ・サイクリングのためにＵＥを構成すべきである。
【００４０】
図８は、ドップラー・メトリックがしきい値を超過したとき、ネットワーク・ノード（たとえば、ネットワーク・ノード１０４）およびＵＥ（たとえば、ＵＥ１０２）がランク１プリコーダ・サイクリング状態に入る例示的な実施形態による、トランザクション・ダイアグラム８００（たとえば、シーケンス・チャート）の一例を示す。ネットワーク・ノードが（たとえば、図４の例に示されるように、閉ループ空間ＭＩＭＯ状態６０５で動作する）フィードバック・チャネルからＣＳＩ（従来型）を受信していると仮定する。ネットワーク・ノードからＵＥへの信号がドップラー効果から低下するとき、データ伝送がこの効果を受け得るだけではなく、ネットワーク・ノードからの基準信号もこの効果を受け得、その結果、低下した基準信号に基づくＣＳＩ推定となり得る。例示的な実施形態では、ドップラー周波数がしきい値に達し、またはしきい値を超過したとネットワーク・ノードが判定した場合、ネットワーク・ノードは、図８のトランザクション（１）で、ＲＢレベル・ランク１プリコーデッド・サイクリング信号を受信するようにＵＥの構成を変更するように、ＲＲＣシグナリング（上位レイヤ・シグナリング）または物理レイヤ・シグナリング・メッセージをＵＥに送る。このシグナリング・メッセージはまた、チャネル品質ＣＱＩの標識をＵＥのフィードバック内に含めると共に、ランクの標識（たとえば、ＲＩ）およびチャネル状態情報の標識（たとえば、ＰＭＩ）を除外するようにＵＥに命令し得る。ブロック８０２で、シグナリング・メッセージに応答して、ＵＥは、ランク１伝送を受信するようにＵＥのリソースを構成し得る。次にトランザクション（２）で、ネットワーク・ノードは、ＵＥ特有の基準信号をランク１プリコーデッド伝送として送る。ブロック８０２でランク１信号を受信するように構成されたＵＥは基準信号を受信し、ブロック８０４で、基準信号を評価し、チャネル品質の標識（ＣＱＩ）を計算する。トランザクション（３）で、ＵＥは、チャネル品質の標識を含むフィードバックを返す。この場合、ネットワーク・ノードは、ランク１で、ＰＭＩフィードバックを必要としない特性で送信するように既に判断を行っているので、図４の閉ループＭＩＭＯのケースとは異なり、ＵＥがランクの標識（たとえば、ＲＩ）またはチャネル状態情報（たとえば、ＰＭＩ）をレポートすることは不要である。しかしながら、チャネル品質の標識は、どのリソース・ブロックが使用するのにより良いかを識別するのに有用であり得る。レポートされたＣＳＩフィードバックは、サブバンド・レベル、広帯域レベル、またはその両方であり得る。ＲＢレベル・プリコーダ・サイクリングでは、送信機で使用されるプリコーダについてＵＥに通知する必要はない。ＵＥはランク１プリコーデッドＣＳＩ−ＲＳ上でレポートするからである。データ伝送では、ネットワークは、ＣＳＩ−ＲＳの伝送中にネットワークが使用したのと同一のプリコーダを使用し、同一のプリコーダでプリコードされるＤＭ−ＲＳを送信する。したがって、このスキームはＵＥに対して完全に透過的である。
【００４１】
他の実施形態では、ネットワーク・ノードは、（ＲＢレベルではなく）リソース要素（ＲＥ）レベルでプリコードされた伝送を使用し得る。このプロトコルまたはスキームでは、ネットワーク・ノードは、ネットワーク・ノードがＲＥレベルでどんなプリコーダを使用することを計画しているかを示し得る。プリコーダは、規格（たとえば、５Ｇ規格）内で固定され得、したがってネットワークとＵＥはどちらも、ＲＥレベルで使用されるプリコーダについて認識している。ネットワークが事前定義されたプリコーダを使用すると仮定して、ＵＥはＣＱＩをレポートする。
【００４２】
他の実施形態では、ネットワーク・ノードは、ＵＥの評価についての複数の基準信号を送信するように動作可能であり得、各基準信号はＲＢレベル（あるいはＲＥレベル）で異なり得る。したがって、ＵＥによって決定されたＣＱＩは、異なる基準信号についてのものであり得、複数のＣＱＩがフィードバックの部分としてレポートされ得る。複数のＣＱＩを受信した後、ネットワーク・ノードは、どれを選択するかを判断または決定し、さらなる下流側伝送スケジューリング・パラメータを決定し得る。
【００４３】
図９は、ネットワーク・ノード（たとえば、ネットワーク・ノード１０４）によって実施され得る例示的な方法を示すフローチャート９００を示す。フローチャートは、伝送状態（たとえば、図４の例で説明したように、閉ループＭＩＭＯ）であり得るステップ９０５で始まり得る。ステップ９１０で、ネットワーク・ノードは、特定のＵＥについてのドップラー・メトリックおよび経路損失（ＰＬ）を決定する。ステップ９１０で、ネットワーク・ノードは、ＵＥが高速（高ドップラー）で移動しているか、それとも低速（低ドップラー）で移動しているかを判定する。ネットワーク・ノードは、ＵＥの速度を表すドップラー・メトリック（Ｄｍ）を決定し得る。ドップラー・メトリックの例示的な実施形態は、様々な測定値を利用し得る。たとえば、直接速度測定値に基づくＤｍでは、ネットワーク・ノードは、たとえば全地球測位システム（ＧＰＳ）を使用してユーザ機器の速度測定値を取得することによって、ＵＥの直接的速度を決定し（たとえば、ＵＥが移動した時間当たりの距離を決定し）得る。速度測定値は、様々な時刻に（または複数の間隔で）測定され得る。ネットワーク・ノードは、Ｄｍが速度測定値の平均を含むことを決定し得る。例示的な実施形態では、ドップラー・メトリックはまた、アップリンク・チャネル推定の変化率に基づき得る。この場合、ネットワーク・ノードはアップリンク・チャネルを推定し得、アップリンク・チャネルの変化率は、ドップラー・メトリックＤｍの尺度を与える。ドップラー・メトリックはまた、チャネル品質の標識（たとえば、ＬＴＥでのＣＱＩ）の変化率に基づき得、ＣＱＩは、所与の瞬間にＵＥによってＣＳＩフィードバック内でレポートされるチャネル品質情報である。この場合、ドップラー・メトリックは、時間の変化（ΔΤ）にわたるＣＱＩの変化（ΔＣＱＩ）であり得る。したがって、ドップラー・メトリックはＤｍ＝ΔＣＱＩ／ΔΤと計算され得る。
【００４４】
図９をさらに参照すると、（たとえば、図７に示されるように）スペクトル効率がドップラー効果のためにランク１伝送によって提供されるスペクトル効率レベル未満に低下する地点である、ドップラーしきい値（たとえば、Ｄｔｈ）が設定され得る。ステップ９１５で、ＵＥに関連するドップラー・メトリックがしきい値を超過する（たとえば、Ｄｍ＞Ｄｔｈ）かどうかに関して（たとえば、ネットワーク・ノード１０４によって）判定が行われ得る。ＵＥに関連するドップラー・メトリックがしきい値を超過しない場合、ステップ９２０で、ネットワーク・ノードとＵＥとの間の動作は、既存の閉ループＭＩＭＯスキーム（たとえば、図４で説明されるような例）を引き続き使用し得る。ドップラー・メトリックがしきい値を超過した場合、ステップ９２５で、ネットワーク・ノードは、ランク１プリコーディング・サイクリング状態（たとえば、図８で説明されるような例）への変化を開始し得る。ステップ９３０で、方法は終了し得、たとえば、ネットワーク・ノードおよびＵＥは、既存の閉ループＭＩＭＯスキームの使用、またはランク１プリコーディング・サイクリング・スキームの使用を続行する。プロセスはステップ９０５で再び反復し得る。したがって、ネットワーク・ノードは、ドップラー・メトリックがしきい値を超過するかどうかを周期的に判定し、その判定に応答して、既存の閉ループＭＩＭＯスキームを使用し、またはランク１伝送を使用することへの変化を開始する。
【００４５】
図１０は、ドップラー・メトリックがしきい値を超過したという判定に応答して、閉ループＭＩＭＯスキームが維持されるが、ＵＥのＣＳＩフィードバック・レポーティングでの制限を伴う例示的な実施形態を表すトランザクション・ダイアグラムを示す。ダイアグラムは、ドップラー・メトリックがしきい値を超過したという判定が行われた条件を想定する。トランザクション（１）で、ネットワーク・ノードは、ＵＥのＣＳＩフィードバック内でランク１をレポートするようにＵＥに命令する信号をＵＥに送信する。この場合、ＵＥは、ネットワークがランク１プリコーダ・サイクリングを適用したいかどうかを知る必要さえない。すなわち、図８で説明した例のように、ネットワークから伝送モード変化をシグナリングする必要はない。しかしながら、ＵＥへのこのランク１伝送の明示的な指示はないとしても、ネットワークは、閉ループＭＩＭＯスキームを依然として使用し、ネットワークのフィードバックでランク１を選択することをＵＥに通知する。これは、コードブック・サブセット制限（ＣＢＳＲ）の使用によって、無線リソース制御（ＲＲＣ）シグナリングまたは物理レイヤ・シグナリングを使用して、１に等しいランクに対応するプリコーダ索引のみを設定することによって行われ得る。ＵＥはまた、チャネル状態情報の標識をレポートしないように（たとえば、ＰＭＩをレポートしないように）命令され得る。トランザクション（２）で、ネットワーク・ノードはＵＥに基準信号を送信する。ＵＥは、ステージ１００５で、基準信号を評価し、それは、チャネル品質の指示（たとえば、ＬＴＥでのＣＱＩ）を決定することを含む。トランザクション（３）で、ＵＥはフィードバックを提供し、ＣＢＳＲに基づいて、ランクの標識１（たとえば、ＲＩ  １）、およびチャネル品質の標識（たとえば、ＣＱＩ）を提供する。トランザクション（４）で、伝送パラメータがＵＥに送られ、トランザクション（５）で、選択された伝送パラメータに基づいて、トラフィック・データがＵＥに送られ得る。
【００４６】
図１１は、ドップラー・メトリックがしきい値を超過したことに応答して、（図１０で説明される）ＣＢＳＲを伴う閉ループＭＩＭＯスキームが使用される、ネットワーク・ノード（たとえば、ネットワーク・ノード１０４）によって実施され得る例示的な方法を示すフローチャート１１００を示す。フローチャートはステップ１１０５で始まり、特定の伝送状態（たとえば、図４の例で説明されるような閉ループＭＩＭＯ）にあり得る。ステップ１１１０で、ネットワーク・ノードは、特定のＵＥについてのドップラー・メトリックおよび経路損失（ＰＬ）を決定する。ステップ１１１０で、ネットワーク・ノードは、ＵＥが高速（高ドップラー）で移動しているか、それとも低速（低ドップラー）で移動しているかを判定する。ネットワーク・ノードは、ＵＥの速度を表すドップラー・メトリック（Ｄｍ）を決定し得る。ドップラー・メトリックの例示的な実施形態は、たとえば図９、ステップ９１０を参照して上記で説明されたような、様々な測定値を利用し得る。ステップ１１１５で、ＵＥに関連するドップラー・メトリックがしきい値を超過する（たとえば、Ｄｍ＞Ｄｔｈ）かどうかに関して（たとえば、ネットワーク・ノード１０４によって）判定が行われ得る。ＵＥに関連するドップラー・メトリックがしきい値を超過しない場合、ステップ１１２０で、ネットワーク・ノードとＵＥとの間の動作は、既存の閉ループＭＩＭＯスキーム（たとえば、図４で説明されるような例）を引き続き使用し得る。ドップラー・メトリックがしきい値を超過した場合、ステップ１１２５で、ネットワーク・ノードは、ＣＢＳＲを有するＵＥへの信号と、ＣＱＩフィードバックを提供するようにとの命令と、ランク１（しかし、ＰＭＩを提供する必要はない）とを送り得る。図１１による、ネットワーク・ノードとＵＥとの間の対話の一例が図８で説明され得る。ステップ１１３０で、方法は終了し得、たとえば、ネットワーク・ノードおよびＵＥは、既存の閉ループＭＩＭＯスキームの使用、またはランク１プリコーディング・サイクリング・スキームの使用を続行する。プロセスはステップ１１０５で再び反復し得る。したがって、ネットワーク・ノードは、ドップラー・メトリックがしきい値を超過するかどうかを周期的に判定し、その判定に応答して、既存の閉ループＭＩＭＯスキーム、またはＣＢＳＲを伴う既存の閉ループＭＩＭＯスキームを使用し、その結果、ネットワーク・ノードに対するＵＥのフィードバック内でＣＱＩおよびランク標識１が得られる。
【００４７】
例示的な実施形態によれば、ネットワーク・ノードおよびユーザ機器は、本開示の様々な態様および実施形態による図１２、図１３、図１４、および図１５で説明されるような流れ図で示されるように、例示的な方法を実施するように動作可能であり得る。
【００４８】
非限定的実施形態では、図１２のチャート１２００で示されるように、プロセッサと、プロセッサによって実行されるとき、動作の実施を容易にする実行可能命令を記憶するメモリとを備えるネットワーク・ノード・デバイスが提供される。ステップ１２０５で示されるように、動作は、ユーザ機器によって受信されたと決定される、信号の受信された周波数と、信号を送信するために使用されたと決定される実際の周波数とのシフトを表すメトリックを決定することを含み得る。
【００４９】
動作は、ステップ１２１０で、メトリックがしきい値を超過すると判定されたことに応答して、プリコーディング・ランク値１を有する伝送信号の受信を可能にするようにユーザ機器に命令するメッセージをユーザ機器に送信することを容易にすることをさらに含み得、プリコーディング・ランク値１は、ネットワーク・ノード・デバイスからユーザ機器への同時の、同一の内容を含むデータの伝送を示す。
【００５０】
動作は、ステップ１２１５で、ユーザ機器に特有の、プリコーディング・ランク値１を有する基準信号をユーザ機器に送信することを容易にすることをさらに含み得る。
【００５１】
動作は、ステップ１２２０で、ネットワーク・ノード・デバイスとユーザ機器との間のチャネルの品質に適用可能なチャネル品質の標識を含むフィードバックをユーザ機器から受信することをさらに含み得る。
【００５２】
ステップ１２２５で、動作は、チャネル品質の標識に基づいて、ネットワーク・ノード・デバイスからユーザ機器へのさらなる伝送についての伝送プロトコルに関する伝送スケジューリング・パラメータを決定することをさらに含み得る。
【００５３】
動作は、ステップ１２３０で、ユーザ機器に伝送スケジューリング・パラメータを送信することを容易にすることを含み得る。
【００５４】
動作は、伝送プロトコルに基づくトラフィック・データをユーザ機器に送信することを容易にすることをさらに含み得る。
【００５５】
メトリックを決定することは、ユーザ機器の速度測定値を複数回取得することを含み得、メトリックは速度測定値の平均を含み得る。メトリックを決定することはまた、ユーザ機器からネットワーク・ノード・デバイスへのアップリンク・チャネルの特性の変化率を決定することをも含み得る。メトリックを決定することはまた、ネットワーク・ノード・デバイスからユーザ機器への前の伝送のチャネル品質情報のチャネル品質情報の変化率を決定することをも含み得、前の伝送は、メトリックを決定する前に行われる。
【００５６】
伝送スケジューリング・パラメータは、ネットワーク・ノード・デバイスからユーザ機器へのさらなる伝送についてのデータ・ストリームの変調およびコーディングに適用可能な変調およびコーディング・パラメータを含み得る。
【００５７】
チャネル品質の標識は、チャネル品質の第１の標識を含み得、ユーザ機器に命令するメッセージは、ネットワーク・ノード・デバイスとユーザ機器との間で伝送され異なるデータ・ストリームの数を表すランクの第２の標識と、ネットワーク・ノード・デバイスからユーザ機器へのさらなる伝送についてのプリコーディング行列を選択するために使用されるチャネル状態情報の第３の標識とをフィードバックから除外するようにとの命令をさらに含み得る。
【００５８】
非限定的実施形態では、図１３のチャート１３００で示されるように、プロセッサと、プロセッサによって実行されるとき、動作の実施を容易にする実行可能命令を記憶するメモリとを備えるネットワーク・ノード・デバイスが提供される。動作は、ステップ１３０５で、ユーザ機器によって受信されたと決定される、信号の受信された周波数と、信号を送信するために使用されたと決定される実際の周波数とのシフトを表すメトリックを決定することを含み得る。
【００５９】
１３１０で、動作は、メトリックがしきい値を超過すると判定されたことに応答して、ユーザ機器とネットワーク・デバイスとの間の伝送についての伝送プロトコルに関するチャネル状態情報フィードバックを含めることによって基準信号に応答するようにユーザ機器に命令するメッセージをユーザ機器に送信することを容易にすることを含み得、チャネル状態情報フィードバックは、値１を有するランクの第１の標識であって、ネットワーク・デバイスとユーザ機器との間で伝送される異なるデータ・ストリームの数を表すランクの第１の標識と、ネットワーク・デバイスとユーザ機器との間のチャネルの品質に適用可能なチャネル品質の第２の標識とを含む。
【００６０】
ステップ１３１５で、動作は、ユーザ機器に基準信号を送信することを容易にすることをさらに含み得る。ステップ１３２０で、動作は、ユーザ機器からチャネル状態情報フィードバックを受信することをさらに含み得る。ステップ１３２５で、動作は、チャネル状態情報フィードバックを復号化することをさらに含み得、その結果、復号化チャネル状態情報フィードバックが得られる。ステップ１３３０で、動作は、復号化チャネル状態情報フィードバックに基づいて、伝送プロトコルに関する伝送スケジューリング・パラメータを決定することをさらに含み得る。ステップ１３３５で、動作は、ユーザ機器に伝送スケジューリング・パラメータを送信することを容易にすることをさらに含み得る。
【００６１】
動作は、伝送プロトコルに基づくトラフィック・データをユーザ機器に送信することを容易にすることをさらに含み得る。
【００６２】
メトリックを決定することは、ユーザ機器の速度測定値を複数回取得することを含み得、メトリックは速度測定値の平均または中央値を含み得る。メトリックを決定することはまた、ユーザ機器からネットワーク・デバイスへのアップリンク・チャネルの特性の変化率を決定することをも含み得る。メトリックを決定することはまた、ネットワーク・デバイスとユーザ機器との間の伝送のチャネル品質情報の変化率を決定することをも含み得る。
【００６３】
伝送スケジューリング・パラメータは、ユーザ機器とネットワーク・デバイスとの間の伝送についてのデータ・ストリームの変調およびコーディングに適用可能な変調およびコーディング・パラメータを含み得る。
【００６４】
ユーザ機器に命令するメッセージは、ネットワーク・デバイスとユーザ機器との間の伝送についてのプリコーディング行列を選択するために使用されるチャネル状態情報の第３の標識をチャネル状態情報フィードバック・レポートから除外するようにとの命令を含み得る。
【００６５】
非限定的実施形態では、図１４のチャート１４００で示されるように、プロセッサと、プロセッサによって実行されるとき、動作の実施を容易にする実行可能命令を記憶するメモリとを備えるユーザ機器のための方法であって、ステップ１４０５で、動作は、（たとえば、全地球測位システム、三角測量などを使用することによって）位置および時刻を決定することを含み得る。ステップ１４１０で、動作は、ネットワーク・ノード・デバイスに位置および時刻を送信することを含み得る。
【００６６】
ステップ１４１５で、動作は、プリコーディング・ランク値１を有する伝送信号の受信を可能にするようにユーザ機器に命令するメッセージをネットワーク・ノード・デバイスから受信することをさらに含み得、メッセージは、位置および時刻に基づく、ユーザ機器によって受信されたと決定される信号の受信された周波数と、信号を送信するために使用されたと決定される実際の周波数とのシフトを表すメトリックがしきい値を超過したという判定に応答して、ネットワーク・ノード・デバイスから受信されたものであり、プリコーディング・ランク値１は、ネットワーク・ノード・デバイスからユーザ機器への同一の情報を含むデータの並列伝送を示す。
【００６７】
動作は、ステップ１４２０で、プリコーディング・ランク値１を有するユーザ機器特有の基準信号を受信すること、およびステップ１４２５で、ユーザ機器特有の基準信号を評価して、ネットワーク・ノード・デバイスとユーザ機器との間のチャネルの品質に適用可能なチャネル品質の標識を決定することをさらに含み得る。
【００６８】
ステップ１４３０で、動作は、チャネル品質の標識を含むフィードバックをネットワーク・ノード・デバイスに送信することを容易にすることをさらに含み得る。ステップ１４３５で、動作は、ネットワーク・ノード・デバイスからユーザ機器へのさらなる伝送についての伝送プロトコルに関する伝送スケジューリング・パラメータをネットワーク・ノード・デバイスから受信することをさらに含み得る。
【００６９】
動作は、伝送プロトコルに基づくトラフィック・データをユーザ機器に送信することを容易にすることをさらに含み得る。伝送スケジューリング・パラメータは、ネットワーク・ノード・デバイスからユーザ機器へのさらなる伝送についてのデータ・ストリームの変調およびコーディングに適用可能な変調およびコーディング・パラメータを含み得る。
【００７０】
チャネル品質の標識はチャネル品質の第１の標識を含み得、ユーザ機器に命令するメッセージは、ネットワーク・ノード・デバイスとユーザ機器との間で伝送される異なるデータ・ストリームの数を表すランクの第２の標識をフィードバックから除外し、ネットワーク・ノード・デバイスとユーザ機器との間の伝送についてのプリコーディング行列を選択するために使用されるチャネル状態情報の第３の標識をフィードバックから除外するようにとの命令をさらに含み得る。
【００７１】
前述のように、ユーザ機器はワイヤレス・デバイスを備え得、モノのインターネット・デバイスをも備え得る。
【００７２】
非限定的実施形態では、図１５に示されるように、プロセッサと、プロセッサによって実行されるとき、動作の実施を容易にする実行可能命令を記憶するメモリとを備えるネットワーク・ノード・デバイスが提供される。ステップ１５０５で示されるように、動作は、ユーザ機器によって受信されたと決定される、信号の受信された周波数と、信号を送信するために使用されたと決定される実際の周波数とのシフトを表すメトリックを決定することを含み得る。
【００７３】
動作は、ステップ１５１０で、メトリックがしきい値を超過すると判定されたことに応答して、プリコーディング・ランク値１を有する伝送信号の受信を可能にするようにユーザ機器に命令するメッセージをユーザ機器に送信することを容易にすることをさらに含み得、プリコーディング・ランク値１は、ネットワーク・ノード・デバイスからユーザ機器への同時の、同一の内容を含むデータの伝送を示す。
【００７４】
動作は、ステップ１５１５で、ユーザ機器に特有の、プリコーディング・ランク値１を有する基準信号をユーザ機器に送信することを容易にすることをさらに含み得る。
【００７５】
動作は、ステップ１５２０で、基準信号のそれぞれを評価することから決定されるチャネル品質の標識を含むフィードバックをユーザ機器から受信することをさらに含み得、チャネル品質の標識は、ネットワーク・ノード・デバイスとユーザ機器との間のチャネルの品質に適用可能である。
【００７６】
ステップ１５２５で、動作は、フィードバックに基づいて、ネットワーク・ノード・デバイスからユーザ機器へのさらなる伝送についての伝送プロトコルに関する伝送スケジューリング・パラメータを決定することをさらに含み得る。
【００７７】
動作は、ステップ１５３０で、ユーザ機器に伝送スケジューリング・パラメータを送信することを容易にすることを含み得る。
【００７８】
動作は、伝送プロトコルに基づくトラフィック・データをユーザ機器に送信することを容易にすることをさらに含み得る。
【００７９】
メトリックを決定することは、ユーザ機器の速度測定値を複数回取得することを含み得、メトリックは速度測定値の平均を含み得る。メトリックを決定することはまた、ユーザ機器からネットワーク・ノード・デバイスへのアップリンク・チャネルの特性の変化率を決定することをも含み得る。メトリックを決定することはまた、ネットワーク・ノード・デバイスからユーザ機器への前の伝送のチャネル品質情報のチャネル品質情報の変化率を決定することをも含み得、前の伝送は、メトリックを決定する前に行われる。
【００８０】
伝送スケジューリング・パラメータは、ネットワーク・ノード・デバイスからユーザ機器へのさらなる伝送についてのデータ・ストリームの変調およびコーディングに適用可能な変調およびコーディング・パラメータを含み得る。
【００８１】
ユーザ機器に命令するメッセージは、ネットワーク・ノード・デバイスとユーザ機器との間で伝送される異なるデータ・ストリームの数を表すランクの第１の標識と、ネットワーク・ノード・デバイスからユーザ機器へのさらなる伝送についてのプリコーディング行列を選択するために使用されるチャネル状態情報の第２の標識とをフィードバックから除外するようにとの命令をさらに含み得る。
【００８２】
次に図１６を参照すると、本明細書で説明されるいくつかの実施形態による、ネットワークに接続することのできるモバイル・デバイス１６００であり得るユーザ機器（たとえば、ユーザ機器１０２）の概略ブロック図が示されている。本明細書ではモバイル・ハンドセット１６００が示されているが、他のデバイスはモバイル・デバイスであり得、モバイル・ハンドセット１６００は本明細書で説明される様々な実施形態の実施形態についての状況を与えるために示されるに過ぎないことを理解されよう。以下の議論は、様々な実施形態が実装され得る適切な環境１６００の一例の、簡潔で一般的な説明を与えるためのものである。説明は、機械可読記憶媒体上に実施されたコンピュータ実行可能命令の一般的状況を含むが、革新が、他のプログラム・モジュールと組み合わせて、かつ／またはハードウェアとソフトウェアの組合せとしても実装され得ることを当業者は理解されよう。
【００８３】
一般に、アプリケーション（たとえば、プログラム・モジュール）は、特定のタスクを実施し、または特定の抽象データ・タイプを実装するルーチン、プログラム、コンポーネント、データ構造などを含み得る。さらに、本明細書で説明される方法が、単一プロセッサまたはマルチプロセッサ・システム、ミニコンピュータ、メインフレーム・コンピュータ、ならびにパーソナル・コンピュータ、ハンドヘルド・コンピューティング・デバイス、マイクロプロセッサ・ベースのコンシューマ・エレクトロニクスまたはプログラマブル・コンシューマ・エレクトロニクスなどを含む他のシステム構成と共に実施され得、それらのそれぞれが、１つまたは複数の関連するデバイスに動作可能に結合され得ることを当業者は理解されよう。
【００８４】
コンピューティング・デバイスは通常、様々な機械可読媒体を含み得る。機械可読媒体は、コンピュータによってアクセスされ得る任意の入手可能な媒体であり得、揮発性媒体と不揮発性媒体の両方、取外し可能と取外し不能媒体の両方を含む。限定ではなく例として、コンピュータ可読媒体は、コンピュータ記憶媒体および通信媒体を含み得る。コンピュータ記憶媒体は、コンピュータ可読命令、データ構造、プログラム・モジュール、他のデータなどの情報の記憶のための任意の方法または技術で実装された、揮発性および／または不揮発性媒体、取外し可能および／または取外し不能媒体を含み得る。コンピュータ記憶媒体は、限定はしないが、ＲＡＭ、ＲＯＭ、ＥＥＰＲＯＭ、フラッシュ・メモリ、または他のメモリ技術、ＣＤ−ＲＯＭ、デジタル・ビデオ・ディスク（ＤＶＤ）、または他の光ディスク・ストレージ、磁気カセット、磁気テープ、磁気ディスク・ストレージ、または他の磁気記憶デバイス、あるいは所望の情報を記憶するために使用され得、コンピュータによってアクセスされ得る任意の他の媒体を含み得る。
【００８５】
通信媒体は通常、コンピュータ可読命令、データ構造、プログラム・モジュール、または他のデータを、搬送波や他の移送機構などの被変調データ信号で実施し、任意の情報送達媒体を含む。「被変調データ信号」という用語は、その特性のうちの１つまたは複数を、信号内に情報を符号化するような方式で設定または変更した信号を意味する。限定ではなく例として、通信媒体は、ワイヤード・ネットワークやダイレクト・ワイヤード接続などのワイヤード媒体と、音響媒体、ＲＦ媒体、赤外線媒体、他のワイヤレス媒体などのワイヤレス媒体とを含む。上記のうちのいずれかの組合せも、コンピュータ可読媒体の範囲内に含まれるべきである。
【００８６】
ハンドセット１６００は、すべてのオンボード動作および機能を制御および処理するためのプロセッサ１６０２を含む。メモリ１６０４は、データおよび１つまたは複数のアプリケーション１６０６（たとえば、ビデオ・プレーヤ・ソフトウェア、ユーザ・フィードバック構成要素ソフトウェアなど）の記憶のためにプロセッサ１６０２とインターフェースする。他のアプリケーションには、ユーザ・フィードバック信号の開始を容易にする所定の音声コマンドの音声認識が含まれ得る。アプリケーション１６０６は、メモリ１６０４および／またはファームウェア１６０８内に記憶され、メモリ１６０４または／およびファームウェア１６０８の一方または両方からプロセッサ１６０２によって実行され得る。ファームウェア１６０８はまた、ハンドセット１６００を初期化する際に実行するためのスタートアップ・コードをも記憶し得る。通信構成要素１６１０は、外部システム、たとえばセルラ・ネットワーク、ＶｏＩＰネットワークなどとのワイヤード／ワイヤレス通信を容易にするように、プロセッサ１６０２とインターフェースする。この場合、通信構成要素１６１０はまた、対応する信号通信のための適切なセルラ・トランシーバ１６１１（たとえば、グローバルＧＳＭトランシーバ）および／または無免許トランシーバ１６１３（たとえば、Ｗｉ−Ｆｉ、ＷｉＭＡＸ）をも含み得る。ハンドセット１６００は、セルラ電話、モバイル通信機能を有するＰＤＡ、メッセージング中心デバイスなどのデバイスであり得る。通信構成要素１６１０はまた、地上無線ネットワーク（たとえば、ブロードキャスト）、デジタル衛星無線ネットワーク、およびインターネット・ベースの無線サービス・ネットワークからの通信受信を容易にする。
【００８７】
ハンドセット１６００は、テキスト、イメージ、ビデオ、テレフォニー機能（たとえば、Ｃａｌｌｅｒ  ＩＤ機能）、セットアップ機能を表示するための、およびユーザ入力のためのディスプレイ１６１２を含む。たとえば、ディスプレイ１６１２は、マルチメディア・コンテンツ（たとえば、音楽メタデータ、メッセージ、壁紙、グラフィックスなど）の提示に対処し得る「画面」とも呼ばれる。ディスプレイ１６１２はまた、ビデオをも表示し得、ビデオ引用の生成、編集、および共有を容易にし得る。ハードワイヤ接続および他のシリアル入力デバイス（たとえば、キーボード、キーパッド、およびマウス）を介するワイヤードおよび／またはワイヤレス・シリアル通信（たとえば、ＵＳＢおよび／またはＩＥＥＥ１３９４）を容易にするようにプロセッサ１６０２と通信するシリアルＩ／Ｏインターフェース１６１４が設けられる。これは、たとえばハンドセット１６００の更新およびトラブルシューティングをサポートする。オーディオ機能がオーディオＩ／Ｏ構成要素１６１６と共に提供され、Ｉ／Ｏ構成要素１６１６は、たとえばユーザがユーザ・フィードバック信号を開始するための適切なキーまたはキーの組合せを押したという指示に関するオーディオ信号の出力のためのスピーカを含み得る。オーディオＩ／Ｏ構成要素１６１６はまた、データおよび／またはテレフォニー音声データを記録するため、および電話会話についての音声信号を入力するための、マイクロフォンを介するオーディオ信号の入力を容易にする。
【００８８】
ハンドセット１６００は、カード加入者識別モジュール（ＳＩＭ）およびユニバーサルＳＩＭ１６２０の形状因子のＳＩＣ（加入者識別構成要素）を収容し、ＳＩＭカード１６２０をプロセッサ１６０２とインターフェースするためのスロット・インターフェース１６１８を含み得る。しかしながら、ＳＩＭカード１６２０がハンドセット１６００内に製造され、データおよびソフトウェアをダウンロードすることによって更新され得ることを理解されたい。
【００８９】
ハンドセット１６００は、通信構成要素１６１０を通じてＩＰデータ・トラフィックを処理し、ＩＳＰまたはブロードバンド・ケーブル・プロバイダを介する、たとえばインターネット、コーポレート・イントラネット、ホーム・ネットワーク、パーソナル・エリア・ネットワークなどのＩＰネットワークからのＩＰトラフィックに対処し得る。したがって、ＶｏＩＰトラフィックがハンドセット８００によって利用され得、ＩＰベースのマルチメディア・コンテンツが、符号化フォーマットまたは復号化フォーマットで受信され得る。
【００９０】
符号化マルチメディア・コンテンツを復号化するためにビデオ処理構成要素１６２２（たとえば、カメラ）が設けられ得る。ビデオ処理構成要素１６２２は、ビデオ引用の生成、編集、および共有を容易にする助けとなり得る。ハンドセット１６００はまた、電池および／またはＡＣ電源サブシステムの形態の電源１６２４をも含み得、電源１６２４は、電源Ｉ／Ｏ構成要素１６２６によって外部電源システムまたは充電機器（図示せず）とインターフェースし得る。
【００９１】
ハンドセット１６００はまた、受信したビデオ・コンテンツを処理し、ビデオ・コンテンツを記録および送信するためのビデオ構成要素１６３０をも含み得る。たとえば、ビデオ構成要素１６３０は、ビデオ引用の生成、編集、および共有を容易にし得る。位置追跡構成要素１６３２が、ハンドセット１６００の位置を地理的に突き止める。前述のように、これは、ユーザが自動または手動でフィードバック信号を開始するときに行われ得る。ユーザ入力構成要素１６３４は、ユーザが品質フィードバック信号を開始することを容易にする。ユーザ入力構成要素１６３４はまた、ビデオ引用の生成、編集、および共有を容易にし得る。ユーザ入力構成要素１６３４は、たとえばキーパッド、キーボード、マウス、スタイラス・ペン、および／またはタッチ・スクリーンなどの従来型入力デバイス技術を含み得る。
【００９２】
アプリケーション１６０６を再び参照すると、ヒステリシス構成要素１６３６が、いつアクセス・ポイントに関連付けるかを決定するために利用されるヒステリシス・データの解析および処理を容易にする。Ｗｉ−Ｆｉトランシーバ１６１３がアクセス・ポイントのビーコンを検出したときのヒステリシス構成要素１６３８のトリガを容易にするソフトウェア・トリガ構成要素１６３８が設けられる。ＳＩＰクライアント１６４０は、ハンドセット１６００がＳＩＰプロトコルをサポートし、加入者をＳＩＰレジストラ・サーバに登録することを可能にする。アプリケーション１６０６はまた、少なくともマルチメディア・コンテンツ、たとえば音楽の発見、再生、および記憶の機能を提供するクライアント１６４２をも含み得る。
【００９３】
ハンドセット１６００は、通信構成要素１６１０に関して上記で示したように、屋内ネットワーク無線トランシーバ１６１３（たとえば、Ｗｉ−Ｆｉトランシーバ）を含む。この機能は、デュアル・モードＧＳＭハンドセット１６００のための、ＩＥＥＥ８０２．１１などの屋内無線リンクをサポートする。ハンドセット１６００は、ワイヤレス音声およびデジタル無線チップセットを単一のハンドヘルド・デバイスとして組み合わせ得るハンドセットを介する、少なくとも衛星無線サービスに対処し得る。
【００９４】
次に図１７を参照すると、記載の例示的な実施形態で実施される機能および動作を実行するように動作可能なコンピュータ１７００のブロック図が示されている。たとえば、ネットワーク・ノード（たとえば、ネットワーク・ノード１０４）は、図１７で説明されるような構成要素を含み得る。コンピュータ１７００は、ワイヤードまたはワイヤレス通信ネットワークとサーバおよび／または通信デバイスとの間のネットワーキングおよび通信機能を提供し得る。本発明の様々な態様についての追加の状況を与えるために、図１７および以下の議論は、本発明の様々な態様がエンティティと第３者との間のトランザクションの確立を容易にするように実装され得る、適切なコンピューティング環境の簡潔で一般的な説明を与えるためのものである。上記の説明は１つまたは複数のコンピュータ上で動作し得るコンピュータ実行可能命令の一般的状況でのものであるが、革新が、他のプログラム・モジュールと組み合わせて、かつ／またはハードウェアとソフトウェアの組合せとしても実装され得ることを当業者は理解されよう。
【００９５】
一般に、プログラム・モジュールは、特定のタスクを実施し、または特定の抽象データ・タイプを実装するルーチン、プログラム、構成要素、データ構造などを含む。さらに、本発明の方法が、単一プロセッサまたはマルチプロセッサ・コンピュータシステム、ミニコンピュータ、メインフレーム・コンピュータ、ならびにパーソナル・コンピュータ、ハンドヘルド・コンピューティング・デバイス、マイクロプロセッサ・ベースのコンシューマ・エレクトロニクスまたはプログラマブル・コンシューマ・エレクトロニクスなどを含む他のシステム構成と共に実施され得、それらのそれぞれが、１つまたは複数の関連するデバイスに動作可能に結合され得ることを当業者は理解されよう。
【００９６】
革新の図示される態様はまた、通信ネットワークを通じてリンクされるリモート処理デバイスによっていくつかのタスクが実施される分散コンピューティング環境で実施され得る。分散コンピューティング環境では、プログラム・モジュールは、ローカル・メモリ記憶デバイスとリモート・メモリ記憶デバイスの両方の中に配置され得る。
【００９７】
コンピューティング・デバイスは通常、様々な媒体を含み得、様々な媒体は、コンピュータ可読記憶媒体または通信媒体を含み得、その２つの用語は、本明細書では以下のように互いに別々に使用される。
【００９８】
コンピュータ可読記憶媒体は、コンピュータによってアクセスされ得る任意の入手可能な記憶媒体であり得、揮発性媒体と不揮発性媒体の両方、取外し可能と取外し不能媒体の両方を含む。限定ではなく例として、コンピュータ可読記憶媒体は、コンピュータ可読命令、プログラム・モジュール、構造化データ、非構造化データなどの情報の記憶のための任意の方法または技術と共に実装され得る。コンピュータ可読記憶媒体は、限定はしないが、ＲＡＭ、ＲＯＭ、ＥＥＰＲＯＭ、フラッシュ・メモリ、または他のメモリ技術、ＣＤ−ＲＯＭ、デジタル・ビデオ・ディスク（ＤＶＤ）、または他の光ディスク・ストレージ、磁気カセット、磁気テープ、磁気ディスク・ストレージ、または他の磁気記憶デバイス、あるいは所望の情報を記憶するために使用され得る他の有形および／または非一時的媒体を含み得る。コンピュータ可読記憶媒体は、媒体によって記憶された情報に関する様々な操作のために、たとえばアクセス要求、照会、または他のデータ検索プロトコルを介して、１つまたは複数のローカルまたはリモート・コンピューティング・デバイスによってアクセスされ得る。
【００９９】
通信媒体は、コンピュータ可読命令、データ構造、プログラム・モジュール、または他の構造化もしくは非構造化データを、被変調データ信号、たとえば搬送波または他の移送機構などのデータ信号で実施し得、任意の情報送達または移送媒体を含む。「被変調データ信号」または信号という用語は、その特性のうちの１つまたは複数を、１つまたは複数の信号内に情報を符号化するような方式で設定または変更した信号を指す。限定ではなく例として、通信媒体は、ワイヤード・ネットワークやダイレクト・ワイヤード接続などのワイヤード媒体と、音響媒体、ＲＦ媒体、赤外線媒体、他のワイヤレス媒体などのワイヤレス媒体とを含む。
【０１００】
図１７を参照すると、デバイスに関して本明細書で説明される様々な態様を実装することはコンピュータ１７００を含み得、コンピュータ１７００は、処理装置１７０４、システム・メモリ１７０６、およびシステム・バス１７０８を含む。システム・バス１７０８は、限定はしないがシステム・メモリ１７０６を含むシステム構成要素を、処理装置１７０４に結合する。処理装置１７０４は、様々な市販のプロセッサのいずれかであり得る。デュアル・マイクロプロセッサおよび他のマルチプロセッサ・アーキテクチャも処理装置１７０４として利用され得る。
【０１０１】
システム・バス１７０８は、様々な市販のバス・アーキテクチャのいずれかを使用して（メモリ・コントローラを有し、または有さない）メモリ・バス、周辺バス、およびローカル・バスにさらに相互接続し得る、いくつかのタイプのバス構造のいずれかであり得る。システム・メモリ１７０６は、読取り専用メモリ（ＲＯＭ）１７２７およびランダム・アクセス・メモリ（ＲＡＭ）１７１２を含む。基本入出力システム（ＢＩＯＳ）が、ＲＯＭ、ＥＰＲＯＭ、ＥＥＰＲＯＭなどの不揮発性メモリ１７２７内に記憶され、ＢＩＯＳは、起動中などに、コンピュータ１７００内の要素間で情報を転送する助けとなる基本ルーチンを含む。ＲＡＭ１７１２はまた、データをキャッシングするためのスタティックＲＡＭなどの高速ＲＡＭをも含み得る。
【０１０２】
コンピュータ１７００は内蔵ハード・ディスク・ドライブ（ＨＤＤ）１７１４（たとえば、ＥＩＤＥ、ＳＡＴＡ）（内蔵ハード・ディスク・ドライブ１７１４はまた、適切なシャーシ（図示せず）内の外部使用向けに構成され得る）と、（たとえば、取外し可能ディスケット１７１８から読み取り、または取外し可能ディスケット１７１８に書き込むための）磁気フロッピィ・ディスク・ドライブ（ＦＤＤ）１７１６と、（たとえば、ＣＤ−ＲＯＭディスク１７２２を読み取り、またはＤＶＤなどの他の高容量光媒体から読み取り、もしくは他の高容量光媒体に書き込むための）光ディスク・ドライブ１７２０とをさらに含む。ハード・ディスク・ドライブ１７１４、磁気ディスク・ドライブ１７１６、および光ディスク・ドライブ１７２０は、それぞれハード・ディスク・ドライブ・インターフェース１７２４、磁気ディスク・ドライブ・インターフェース１７２６、および光ドライブ・インターフェース１７２８によってシステム・バス１７０８に接続され得る。外部ドライブ実装用のインターフェース１７２４は、ユニバーサル・シリアル・バス（ＵＳＢ）インターフェース技術とＩＥＥＥ１２９４インターフェース技術の少なくとも一方または両方を含む。他の外部ドライブ接続技術は、この革新の企図内にある。
【０１０３】
ドライブおよびその関連するコンピュータ可読媒体は、データ、データ構造、コンピュータ実行可能命令などの不揮発性記憶を実現する。コンピュータ１７００では、ドライブおよび媒体は、適切なデジタル・フォーマットの任意のデータの記憶に対処する。上記のコンピュータ可読媒体の説明は、ＨＤＤ、取外し可能磁気ディスケット、ＣＤやＤＶＤなどの取外し可能光媒体を参照するが、ｚｉｐドライブ、磁気カセット、フラッシュ・メモリ・カード、カートリッジなどのコンピュータ１７００によって読取り可能な他のタイプの媒体も例示的な動作環境内で使用され得ること、さらには、任意のそのような媒体が、開示された革新の方法を実施するためのコンピュータ実行可能命令を含み得ることを当業者は理解されたい。
【０１０４】
オペレーティング・システム１７３０、１つまたは複数のアプリケーション・プログラム１７３２、他のプログラム・モジュール１７３４、およびプログラム・データ１７３６を含むいくつかのプログラム・モジュールが、ドライブおよびＲＡＭ１７１２内に記憶され得る。オペレーティング・システム、アプリケーション、モジュール、および／またはデータのすべてまたは部分も、ＲＡＭ１７１２内にキャッシュされ得る。様々な市販のオペレーティング・システムまたはオペレーティング・システムの組合せと共に革新が実装され得ることを理解されたい。
【０１０５】
ユーザは、１つまたは複数のワイヤード／ワイヤレス入力デバイス、たとえばキーボード１７３８、およびマウス１７４０などのポインティング・デバイスを通じて、コンピュータ１７００内にコマンドおよび情報を入力し得る。他の入力デバイス（図示せず）には、マイクロフォン、ＩＲリモート・コントロール、ジョイスティック、ゲーム・パッド、スタイラス・ペン、タッチ・スクリーンなどが含まれ得る。これらおよび他の入力デバイスはしばしば、システム・バス１７０８に結合される入力デバイス・インターフェース１７４２を通じて処理装置１７０４に接続されるが、パラレル・ポート、ＩＥＥＥ２３９４シリアル・ポート、ゲーム・ポート、ＵＳＢポート、ＩＲインターフェースなどの他のインターフェースによって接続され得る。
【０１０６】
モニタ１７４４または他のタイプのディスプレイ・デバイスも、ビデオ・アダプタ１７４６などのインターフェースを通じてシステム・バス１７０８に接続される。モニタ１７４４に加えて、コンピュータ１７００は通常、スピーカ、プリンタなどの他の周辺出力デバイス（図示せず）を含む。
【０１０７】
コンピュータ１７００は、リモート・コンピュータ１７４８などの１つまたは複数のリモート・コンピュータへのワイヤードおよび／またはワイヤレス通信による論理接続を使用して、ネットワーク環境内で動作し得る。リモート・コンピュータ１７４８は、ワークステーション、サーバ・コンピュータ、ルータ、パーソナル・コンピュータ、ポータブル・コンピュータ、マイクロプロセッサ・ベースのエンターテイメント・デバイス、ピア・デバイス、または他の共通ネットワーク・ノードであり得、通常は、コンピュータに関して説明される要素の多くまたはすべてを含むが、簡潔のために、メモリ／記憶デバイス１７５０だけが示されている。図示される論理接続は、ローカル・エリア・ネットワーク（ＬＡＮ）１７５２および／またはより大規模なネットワーク、たとえば広域ネットワーク（ＷＡＮ）１７５４へのワイヤード／ワイヤレス接続性を含む。そのようなＬＡＮおよびＷＡＮネットワーキング環境は、オフィスおよび会社で一般的なものであり、イントラネットなどの企業全体のコンピュータ・ネットワークを容易にし、そのすべては、グローバル通信ネットワーク、たとえばインターネットに接続し得る。
【０１０８】
ＬＡＮネットワーキング環境内で使用されるとき、コンピュータ１７００は、ワイヤードおよび／またはワイヤレス通信ネットワーク・インターフェースまたはアダプタ１７５６を通じてローカル・ネットワーク１７５２に接続される。アダプタ１７５６は、ＬＡＮ１７５２へのワイヤードまたはワイヤレス通信を容易にし得、ＬＡＮ１７５２はまた、ワイヤレス・アダプタ１７５６と通信するためにその上に配設されたワイヤレス・アクセス・ポイントをも含み得る。
【０１０９】
ＷＡＮネットワーキング環境内で使用されるとき、コンピュータ１７００は、モデム１７５８を含み得、またはＷＡＮ１７５４上の通信サーバに接続され、またはインターネットなどによって、ＷＡＮ１７５４を介して通信を確立するための他の手段を有する。モデム１７５８は、内蔵または外付け、ワイヤードまたはワイヤレス・デバイスでよく、入力デバイス・インターフェース１７４２を通じてシステム・バス１７０８に接続される。ネットワーク環境では、コンピュータに関して示されるプログラム・モジュール、またはその部分は、リモート・メモリ／記憶デバイス１７５０内に記憶され得る。図示されるネットワーク接続は例示的なものであり、コンピュータ間の通信リンクを確立する他の手段が使用され得ることを理解されよう。
【０１１０】
コンピュータは、ワイヤレス通信内で動作可能に配設された任意のワイヤレス・デバイスまたはエンティティ、たとえばプリンタ、スキャナ、デスクトップおよび／またはポータブル・コンピュータ、ポータブル・データ・アシスタント、通信衛星、ワイヤレスに検出可能なタグに関連する任意の機器または位置（たとえば、キオスク、ニュース・スタンド、化粧室）、および電話と通信するように動作可能である。これは、少なくともＷｉ−ＦｉおよびＢｌｕｅｔｏｏｔｈ（商標）ワイヤレス技術を含む。したがって、通信は、従来型ネットワークの場合と同じく事前定義された構造、または単に少なくとも２つのデバイス間のアドホック通信であり得る。
【０１１１】
Ｗｉ−Ｆｉまたはワイヤレス・フィデリティは、ワイヤなしに、自宅のソファ、ホテルの部屋内のベッド、または職場の会議室からインターネットへの接続を可能にする。Ｗｉ−Ｆｉは、そのようなデバイス、たとえばコンピュータが、室内および室外の、基地局の範囲内の任意の場所でデータを送り、受信することを可能にする、セルフォンで使用されるのと同様のワイヤレス技術である。Ｗｉ−Ｆｉネットワークは、ＩＥＥＥ８０２．１１（ａ、ｂ、ｇ、ｎなど）と呼ばれる無線技術を使用して、セキュアで、信頼でき、高速なワイヤレス接続性を実現する。Ｗｉ−Ｆｉネットワークは、コンピュータを、互いに、インターネットに、およびワイヤード・ネットワーク（ＩＥＥＥ８０２．３またはイーサネット）に接続するために使用され得る。Ｗｉ−Ｆｉネットワークは、たとえば、無免許２．４および５ＧＨｚ無線帯域内で、１１Ｍｂｐｓ（８０２．１１ｂ）もしくは５４Ｍｂｐｓ（８０２．１１ａ）データ・レートで、または両方の帯域（デュアル・バンド）を含む製品と共に動作し、したがってネットワークは、多くのオフィスで使用される基本「１０ＢａｓｅＴ」ワイヤード・イーサネット・ネットワークと同様の現実世界性能を実現し得る。
【０１１２】
本願では、「システム」、「構成要素」、「インターフェース」などの用語は一般に、１つまたは複数の特定の機能を有するコンピュータ関連のエンティティ、またはオペレーショナル機械に関するエンティティを指すものとする。本明細書で開示されるエンティティは、ハードウェア、ハードウェアとソフトウェアの組合せ、ソフトウェア、または実行中のソフトウェアであり得る。たとえば、構成要素は、限定はしないが、プロセッサ上で動作中のプロセス、プロセッサ、オブジェクト、実行可能ファイル、実行スレッド、プログラム、および／またはコンピュータであり得る。例として、サーバ上で実行中のアプリケーションと、サーバとはどちらも構成要素であり得る。１つまたは複数の構成要素がプロセスおよび／または実行スレッド内に常駐し得、構成要素は、１つのコンピュータ上に局所化され、かつ／または２つ以上のコンピュータ間で分散され得る。これらの構成要素はまた、その上に記憶された様々なデータ構造を有する様々なコンピュータ可読記憶媒体から実行し得る。構成要素は、１つまたは複数のデータ・パケットを有する信号（たとえば、ローカル・システム内、分散システム内の別の構成要素と、および／またはインターネットなどのネットワークにわたって、信号を介して他のシステムと対話する、ある構成要素からのデータ）などに従って、ローカルおよび／またはリモート・プロセスを介して通信し得る。別の例として、構成要素は、プロセッサによって実行されるソフトウェアまたはファームウェア・アプリケーションによって操作される電気または電子回路によって操作される機械部品によって実現される特定の機能を有する機器であり得、プロセッサは、機器の内部または外部であり、ソフトウェアまたはファームウェア・アプリケーションの少なくとも一部を実行し得る。さらに別の例として、構成要素は、機械部品なしに電子構成要素を通じて特定の機能を提供する機器であり得、電子構成要素は、電子構成要素の機能を少なくとも部分的に与えるソフトウェアまたはファームウェアを実行するために、その中にプロセッサを含み得る。インターフェースは、入力／出力（Ｉ／Ｏ）構成要素、ならびに関連するプロセッサ、アプリケーション、および／またはＡＰＩ構成要素を備え得る。
【０１１３】
さらに、開示される主題は、標準プログラミングおよび／またはエンジニアリング技法を使用して、方法、装置、または製造品として実装され、ソフトウェア、ファームウェア、ハードウェア、またはそれらの任意の組合せを生成し、コンピュータを制御して、開示される主題を実装し得る。本明細書の「製造品」という用語は、任意のコンピュータ可読デバイス、コンピュータ可読キャリア、またはコンピュータ可読媒体からアクセス可能なコンピュータ・プログラムを包含するものとする。たとえば、コンピュータ可読媒体には、限定はしないが、磁気記憶デバイス、たとえばハード・ディスク、フロッピィ・ディスク、磁気ストライプ、光ディスク（たとえば、コンパクト・ディスク（ＣＤ）、デジタル多用途ディスク（ＤＶＤ）、Ｂｌｕ−ｒａｙ  Ｄｉｓｋ（商標）（ＢＤ）、スマートカード、フラッシュ・メモリ・デバイス（たとえば、カード、スティック、キー・ドライブ）、ならびに／あるいは記憶デバイスおよび／または上記のコンピュータ可読媒体のいずれかをエミュレートする仮想デバイスが含まれ得る。
【０１１４】
本明細書で利用されるように、「プロセッサ」という用語は、限定はしないが、シングル・コア・プロセッサ、ソフトウェア・マルチスレッド実行機能を有する単一プロセッサ、マルチコア・プロセッサ、ソフトウェア・マルチスレッド実行機能を有するマルチコア・プロセッサ、ハードウェア・マルチスレッド技術を有するマルチコア・プロセッサ、並列プラットフォーム、分散共有メモリを有する並列プラットフォームを備える、実質上任意のコンピューティング処理装置またはデバイスを指し得る。さらに、プロセッサは、本明細書で説明される機能を実施するように設計された、集積回路、特定用途向け集積回路（ＡＳＩＣ）、デジタル信号プロセッサ（ＤＳＰ）、フィールド・プログラマブル・ゲート・アレイ（ＦＰＧＡ）、プログラマブル論理コントローラ（ＰＬＣ）、複合プログラマブル論理デバイス（ＣＰＬＤ）、ディスクリート・ゲートもしくはトランジスタ・ロジック、ディスクリート・ハードウェア構成要素、またはそれらの任意の組合せを指し得る。プロセッサは、空間使用を最適化し、またはユーザ機器の性能を高めるために、限定はしないが、分子および量子ドット・ベースのトランジスタ、スイッチ、ゲートなどのナノ・スケール・アーキテクチャを活用し得る。プロセッサはまた、コンピューティング処理装置の組合せとして実装され得る。
【０１１５】
本明細書では、「ストア」、「データ・ストア」、「データ・ストレージ」、「データベース」、「リポジトリ」、「キュー」などの用語、および構成要素の動作および機能に関連する実質上任意の他の情報記憶構成要素は、「メモリ構成要素」、「メモリ」内で実施されるエンティティ、またはメモリを備える構成要素を指す。本明細書で説明されるメモリ構成要素は、揮発性メモリまたは不揮発性メモリであり得、あるいは揮発性メモリと不揮発性メモリの両方を含み得ることを理解されよう。さらに、メモリ構成要素またはメモリ要素は、取外し可能であり、または静的であり得る。さらに、メモリは、デバイスまたは構成要素の内部または外部であり、あるいは取外し可能であり、または静的であり得る。メモリは、ハード・ディスク・ドライブ、ｚｉｐドライブ、磁気カセット、フラッシュ・メモリ・カードまたは他のタイプのメモリ・カード、カートリッジなどの、コンピュータによって読取り可能な様々なタイプの媒体を含み得る。
【０１１６】
限定ではなく例として、不揮発性メモリは、読取り専用メモリ（ＲＯＭ）、プログラマブルＲＯＭ（ＰＲＯＭ）、電気プログラマブルＲＯＭ（ＥＰＲＯＭ）、電気消去可能ＲＯＭ（ＥＥＰＲＯＭ）、またはフラッシュ・メモリを含み得る。揮発性メモリは、外部キャッシュ・メモリとして働くランダム・アクセス・メモリ（ＲＡＭ）を含み得る。限定ではなく例として、ＲＡＭは、同期ＲＡＭ（ＳＲＡＭ）、動的ＲＡＭ（ＤＲＡＭ）、同期ＤＲＡＭ（ＳＤＲＡＭ）、ダブル・データ・レートＳＤＲＡＭ（ＤＤＲ  ＳＤＲＡＭ）、拡張ＳＤＲＡＭ（ＥＳＤＲＡＭ）、Ｓｙｎｃｈｌｉｎｋ  ＤＲＡＭ（ＳＬＤＲＡＭ）、ダイレクトＲａｍｂｕｓ  ＲＡＭ（ＤＲＲＡＭ）などの多くの形態で入手可能である。さらに、本明細書のシステムまたは方法の開示されるメモリ構成要素は、含むことに限定されないが、これらおよび任意の他の適切なタイプのメモリを含むものとする。
【０１１７】
具体的には、前述の構成要素、デバイス、回路、システムなどによって実施される様々な機能に関して、そのような構成要素を説明するために使用される用語（「手段」に対する参照を含む）は、別段に示されていない限り、記載の構成要素の指定の機能を実施し、開示される構造と構造的に等価でないとしても、実施形態の本明細書で示される例示的な態様での機能を実施する任意の構成要素（たとえば、機能的均等物）に対応するものとする。これに関して、実施形態が、システム、ならびに様々な方法の動作および／またはイベントを実施するためのコンピュータ実行可能命令を有するコンピュータ可読媒体を含むことも理解されよう。
【０１１８】
コンピューティング・デバイスは通常、様々な媒体を含み得、様々な媒体は、コンピュータ可読記憶媒体および／または通信媒体を含み得、その２つの用語は、本明細書では以下のように、互いに別々に使用される。コンピュータ可読記憶媒体は、コンピュータによってアクセスされ得る任意の入手可能な記憶媒体であり得、揮発性媒体と不揮発性媒体の両方、取外し可能と取外し不能媒体の両方を含む。限定ではなく例として、コンピュータ可読記憶媒体は、コンピュータ可読命令、プログラム・モジュール、構造化データ、非構造化データなどの情報の記憶のための任意の方法または技術と共に実装され得る。コンピュータ可読記憶媒体は、限定はしないが、ＲＡＭ、ＲＯＭ、ＥＥＰＲＯＭ、フラッシュ・メモリ、または他のメモリ技術、ＣＤ−ＲＯＭ、デジタル多用途ディスク（ＤＶＤ）、または他の光ディスク・ストレージ、磁気カセット、磁気テープ、磁気ディスク・ストレージ、または他の磁気記憶デバイス、あるいは所望の情報を記憶するために使用され得る他の有形および／または非一時的媒体を含み得る。コンピュータ可読記憶媒体は、媒体によって記憶された情報に関する様々な操作のために、たとえばアクセス要求、照会、または他のデータ検索プロトコルを介して、１つまたは複数のローカルまたはリモート・コンピューティング・デバイスによってアクセスされ得る。
【０１１９】
一方、通信媒体は通常、コンピュータ可読命令、データ構造、プログラム・モジュール、または他の構造化もしくは非構造化データを、被変調データ信号、たとえば搬送波または他の移送機構などのデータ信号で実施し、任意の情報送達または移送媒体を含む。「被変調データ信号」または信号という用語は、その特性のうちの１つまたは複数を、１つまたは複数の信号内に情報を符号化するような方式で設定または変更した信号を指す。限定ではなく例として、通信媒体は、ワイヤード・ネットワークやダイレクト・ワイヤード接続などのワイヤード媒体と、音響媒体、ＲＦ媒体、赤外線媒体、他のワイヤレス媒体などのワイヤレス媒体とを含む。
【０１２０】
さらに、「ユーザ機器」、「ユーザ・デバイス」、「モバイル・デバイス」、「モバイル・ステーション」、「アクセス端末」、「端末」、「ハンドセット」、および類似の用語は一般に、データ、制御、音声、ビデオ、音、ゲーミング、または実質上任意のデータ・ストリームもしくはシグナリング・ストリームを受信または搬送するために、ワイヤレス通信ネットワークまたはサービスの加入者またはユーザによって利用されるワイヤレス・デバイスを指す。上記の用語は、本明細書および関連する図面で互換的に利用される。同様に、「アクセス・ポイント」、「ノードＢ」、「基地局」、「進化型ノードＢ」、「セル」、「セル・サイト」などの用語は、本明細書で互換的に利用され得、加入者局のセットからのデータ、制御、音声、ビデオ、音、ゲーミング、または実質上任意のデータ・ストリームもしくはシグナリング・ストリームをサービスおよび受信するワイヤレス・ネットワーク構成要素またはアプライアンスを指す。データおよびシグナリング・ストリームは、パケット化され得、またはフレーム・ベースのフローであり得る。本明細書および図面では、文脈または明示的な区別が、屋外環境内のモバイル・デバイスからのデータをサービスおよび受信するアクセス・ポイントまたは基地局と、屋外カバレッジ・エリア内に重ね合わせられた、閉じ込められた、主に室内環境内で動作するアクセス・ポイントまたは基地局とに関する区別を与えることに留意されたい。データおよびシグナリング・ストリームは、パケット化され得、またはフレーム・ベースのフローであり得る。
【０１２１】
さらに、「ユーザ」、「加入者」、「顧客」、「消費者」などの用語は、文脈が用語間の特定の区別を保証するのでない限り、本明細書全体にわたって互換的に利用される。そのような用語は、人間の実体、関連するデバイス、またはシミュレーテッド・ビジョン、音声認識などを提供し得る人工知能（たとえば、複雑な数学的定式化に基づいて推論を行う能力）を通じてサポートされる自動化構成要素を指し得ることを理解されたい。さらに、「ワイヤレス・ネットワーク」および「ネットワーク」という用語は、本明細書では相互交換可能に使用され、用語が利用される文脈が、明瞭のために区別を保証するとき、そのような区別が明示的にされる。
【０１２２】
さらに、「例示的な」という語は、本明細書では、例、実例、または例示としての役割を果たすために使用される。本明細書で「例示的な」と説明される任意の態様または設計は、必ずしも他の態様または設計よりも好ましい、または有利なものと解釈されるべきではない。むしろ、例示的なという語の使用は、具体的に概念を提示するためのものである。本願では、「または」という用語は、排他的な「または」ではなく、包含的な「または」を意味するものとする。すなわち、別段に指定されていない限り、または文脈から明白でない限り、「ＸがＡまたはＢを利用する」は、自然な包含的置換のいずれかを意味するものとする。すなわち、ＸがＡを利用し、ＸがＢを利用し、またはＸがＡとＢの両方を利用する場合、「ＸがＡまたはＢを利用する」は、上記の例のいずれかの下で満たされる。さらに、本願および添付の特許請求の範囲で使用される冠詞「ａ」および「ａｎ」は一般に、別段に指定されていない限り、または単数形を対象とすることが文脈から明白でない限り、「１つまたは複数」を意味するように解釈されるべきである。
【０１２３】
さらに、特定の特徴が、いくつかの実装のうちのただ１つに関して開示されることがあるが、そのような特徴は、所与の、または特定の応用例に対して望ましく、有利であり得るとき、他の実装のうちの１つまたは複数の他の特徴と組み合わされ得る。さらに、「含む(includes and including)」という用語およびその変形が詳細な説明または特許請求の範囲で使用される範囲で、これらの用語は、「備える(comprising)」という用語と同様に、包含的なものとする。
【０１２４】
本開示および対応する図の様々な実施形態の上記の説明、ならびに要約で説明されることは、本明細書で例示のために説明されるものであり、網羅的なものではなく、または開示される実施形態を、開示される厳密な形態に限定するためのものではない。修正、置換、組合せ、および追加を有する他の実施形態が、開示される主題の、同一の機能、類似の機能、代替の機能、または代用の機能を実施するために実装され得、したがって本開示の範囲内であると見なされることを当業者が理解し得ることを理解されたい。したがって、開示される主題は、本明細書で説明される何らかの単一の実施形態に限定されるべきではなく、以下の特許請求の範囲による広さおよび範囲内で解釈されるべきである。
【図１】
2020519177.tif 000003
【図２】
2020519177.tif 000004
【図３】
2020519177.tif 000005
【図４】
2020519177.tif 000006
【図５】
2020519177.tif 000007
【図６】
2020519177.tif 000008
【図７】
2020519177.tif 000009
【図８】
2020519177.tif 000010
【図９】
2020519177.tif 000011
【図１０】
2020519177.tif 000012
【図１１】
2020519177.tif 000013
【図１２】
2020519177.tif 000014
【図１３】
2020519177.tif 000015
【図１４】
2020519177.tif 000016
【図１５】
2020519177.tif 000017
【図１６】
2020519177.tif 000018
【図１７】
2020519177.tif 000019
【国際調査報告】
2020519177.tif 000020
2020519177.tif 000021
2020519177.tif 000022